(57)【要約】ディスクメディア１００に対して情報の記録再生を行うドライブ装置３０３と、ドライブ装置３０３の動作を制御する記録再生制御回路３０５とを備えた記録再生装置である。記録再生制御回路３０５は、ディスクメディア１００のそれぞれの識別を可能とする媒体識別情報を、ディスクメディア１００上の管理データ領域において当該ディスクメディアに関する構造的特徴情報が記録されている領域の複数箇所に重複して記録するよう、ドライブ装置３０３を制御する。
2005029492.tif 000002
【特許請求の範囲】
【請求項１】
記録媒体に対して情報の記録再生を行う記録再生部と、
前記記録再生部の動作を制御する制御部とを備え、
前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御することを特徴とする記録再生装置。
【請求項２】
前記構造的特徴情報が記録されている領域が、前記記録媒体の複数のセクタからなる誤り訂正単位内に設けられている、請求の範囲１記載の記録再生装置。
【請求項３】
前記誤り訂正単位がＥＣＣブロックである、請求の範囲２に記載の記録再生装置。
【請求項４】
前記構造的特徴情報が記録されている領域に前記媒体識別情報を記録するとき、前記制御部が、当該領域に媒体識別情報が既に記録されているかどうかを判定し、媒体識別情報が記録されていなければ媒体識別情報の記録を実行するよう前記記録再生部を制御する、請求の範囲１〜３のいずれかに記載の記録再生装置。
【請求項５】
前記媒体識別情報の少なくとも一部を生成する識別情報生成部をさらに備え、
前記記録再生部は、前記識別情報生成部で生成された情報に基づき媒体識別情報を記録する、請求の範囲１〜４のいずれかに記載の記録再生装置。
【請求項６】
記録再生を指示するホスト装置との間で情報の送受信を行う送受信部をさらに備え、
前記記録再生部は、前記送受信部を介してホスト装置から受け取った情報を少なくとも一部に含む情報を、前記媒体識別情報として前記記録媒体へ記録する、請求の範囲１〜４のいずれかに記載の記録再生装置。
【請求項７】
前記構造的特徴情報が記録されている領域に前記媒体識別情報を記録するとき、前記制御部が、当該領域に媒体識別情報が既に記録されているかどうかを判定し、媒体識別情報が記録されていれば同じ媒体識別情報を当該領域内に記録する、請求の範囲１〜３のいずれかに記載の記録再生装置。
【請求項８】
メモリをさらに備え、
前記記録媒体を初期化する際に、前記制御部が、当該記録媒体において前記構造的特徴情報が記録されている領域に媒体識別情報が記録されているかどうかを判定し、媒体識別情報が記録されていれば当該媒体識別情報を前記メモリへ記憶し、初期化が終了した後、前記メモリに記憶されている媒体識別情報を前記領域へ再度記録する、請求の範囲１〜３のいずれかに記載の記録再生装置。
【請求項９】
記録媒体上の管理データ領域において、当該記録媒体に関する構造的特徴情報が記録されている領域へアクセスするステップと、
前記構造的特徴情報が記録されている領域内の複数箇所に、前記記録媒体のそれぞれの識別を可能とする媒体識別情報を重複して記録するステップとを含むことを特徴とする記録再生方法。
【請求項１０】
前記構造的特徴情報が記録されている領域が、前記記録媒体の複数のセクタからなる誤り訂正単位内に設けられている、請求の範囲９記載の記録再生方法。
【請求項１１】
前記誤り訂正単位がＥＣＣブロックである、請求の範囲１０に記載の記録再生方法。
【請求項１２】
前記構造的特徴情報が記録されている領域に前記媒体識別情報を記録する前に、当該領域に媒体識別情報が既に記録されているかどうかを判定するステップをさらに含み、
媒体識別情報が記録されていない場合に、前記媒体識別情報の記録ステップを実行する、請求の範囲９〜１１のいずれかに記載の記録再生方法。
【請求項１３】
前記媒体識別情報の記録ステップを実行する前に、前記媒体識別情報の少なくとも一部を生成するステップをさらに含む、請求の範囲９〜１１のいずれかに記載の記録再生方法。
【請求項１４】
前記媒体識別情報の記録ステップを実行する前に、ホスト装置から媒体識別情報の少なくとも一部を受け取るステップをさらに含み、
前記媒体識別情報の記録ステップにおいて、前記ホスト装置から受け取った情報を少なくとも一部に含む情報を、前記媒体識別情報として前記記録媒体へ記録する、請求の範囲９〜１１のいずれかに記載の記録再生方法。
【請求項１５】
前記媒体識別情報の記録ステップを実行する前に、前記構造的特徴情報が記録されている領域に媒体識別情報が既に記録されているかどうかを判定するステップをさらに含み、
媒体識別情報が既に記録されていれば、前記媒体識別情報の記録ステップにおいて、既に記録されている媒体識別情報と同じ媒体識別情報を当該領域内に記録する、請求の範囲９〜１１のいずれかに記載の記録再生方法。
【請求項１６】
当該記録媒体において前記構造的特徴情報が記録されている領域に媒体識別情報が記録されているかどうかを判定し、媒体識別情報が記録されていれば当該媒体識別情報を前記メモリへ記憶するステップと、
前記記録媒体を初期化するステップと、
前記初期化が終了した後、前記メモリに記憶されている媒体識別情報を前記構造的特徴情報が記録されている領域へ再度記録するステップとをさらに含む、請求の範囲９〜１１のいずれかに記載の記録再生方法。
【請求項１７】
記録媒体上の管理データ領域において、当該記録媒体に関する構造的特徴情報が記録されている領域へアクセスするステップと、
前記構造的特徴情報が記録されている領域内の複数箇所に重複して記録され、前記記録媒体のそれぞれの識別を可能とする媒体識別情報を、前記複数箇所の少なくとも一つから再生するステップとを含むことを特徴とする記録再生方法。
【請求項１８】
前記媒体識別情報の再生ステップが、前記複数箇所のいずれかで再生エラーが発生した場合、前記複数箇所のうち他の箇所へアクセスし、媒体識別情報の再生を試みるステップを含む、請求の範囲１７記載の記録再生方法。
【請求項１９】
前記媒体識別情報の再生ステップが、
前記記録媒体の複数箇所に記録された構造的特徴情報をすべて再生するステップと、
再生された前記構造的特徴情報にエラー訂正処理を実施するステップと、
前記エラー訂正処理を経て正常に再生された構造的特徴情報データから、媒体識別情報を取り出すステップとを含む、請求の範囲１７記載の記録再生方法。
【請求項２０】
前記エラー訂正処理を経て正常に再生された構造的特徴情報の数をカウントし、その数が予め決められた基準を満たさない場合、記録媒体に異常があると判定するステップをさらに含む、請求の範囲１９記載の記録再生方法。
【請求項２１】
情報が記録される記録媒体であって、
ユーザデータが記録されるユーザデータ領域と、管理データが記録される管理データ領域とを備え、
前記管理データ領域において当該記録媒体に関する構造的特徴情報が記録されている領域の複数箇所に、記録媒体のそれぞれの識別を可能とする媒体識別情報が重複して記録されることを特徴とする記録媒体。
【請求項２２】
前記構造的特徴情報が記録されている領域が、前記記録媒体の複数のセクタからなる誤り訂正単位内に設けられている、請求の範囲２１記載の記録媒体。
【請求項２３】
前記誤り訂正単位がＥＣＣブロックである、請求の範囲２２に記載の記録媒体。
【請求項２４】
記録再生装置に対して、記録媒体を用いた情報の記録再生を指示するホスト装置であって、
前記記録再生装置との間で情報の送受信を行う送受信部と、
前記記録媒体の管理データ領域において、当該起録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えたことを特徴とするホスト装置。
【発明の詳細な説明】
【技術分野】  本発明は、記録媒体とその記録再生装置に関し、特に媒体固有情報（例えば媒体識別情報）の記録および再生に関するものである。
【背景技術】  近年、デジタル化された動画情報や静止画情報などのＡＶデータを記録する可換型の記録媒体として、ディスクメディアが注目されつつある。例えば、ディスクメディアであるＤＶＤ、ハードディスク、ＭＤ（ミニディスク）等に対して、ＭＰＥＧ２やＪＰＥＧ等の符号化方式で符号化されたＡＶデータの記録・再生が行われる。
またＡＶデータ以外にも文書ファイルや電子メール等の様々な電子データもディスクメディアに格納される。
技術の進歩によりディスクメディアの記録容量は年々増大し、近年ではＧＢオーダーの容量が一般化しつつある。
図７は、このようなディスクメディアに記録されるデータをファイルとして管理するためのディレクトリおよびファイルの階層構造の一例を示す図である。
Ｒｏｏｔディレクトリを起点として複数のディレクトリおよびファイルが記録され、ディレクトリによってファイルをグループ化することによりデータの分類管理が可能である。
例えば、ＤＣＩＭディレクトリの下に拡張子がＪＰＧのファイルを集めることにより、静止画ファイルをまとめて管理するようなことが可能である。
このようなディレクトリによる管理が行われる一方、デジタル機器やネットワーク技術の普及に伴い、記録媒体にファイルとして格納されるデジタルデータの数や種類も増大している。そして、それらを格納するために記録媒体の数そのもののも増加し続けている。
よって、多数の記録媒体と、そこに記録された大量のファイルの管理を容易に行えるような技術が求められつつある。
特に、従来の可換型のディスクメディアにおいては、ディスクメディアの中にどんなファイルが格納されているか、ディスクメディアをその再生装置に挿入し、ファイルの一覧を表示するまで知ることができない。よって、複数のディスクメディアを所有している場合には、望みのデータがどのディスクメディアにあるかを知るために、順次、ディスクメディアを交換し、再生する作業を繰り返す必要があった。
このような状況に対応して、複数のディスクメディア内のデータファイルの情報をカタログ化し、パーソナルコンピュータ（ＰＣ）やディスクメディアを用いた据置き型のディスクレコーダ装置等の記録再生装置にそのカタログデータを保管しておくことが行われている。
例えば、図８（ａ）および図８（ｂ）に、複数のディスクメディアとカタログデータとの対応例を示す。図８（ａ）に示すように、ディスクメディア１〜３にはそれぞれ複数のファイルが記録されている。
図８（ｂ）に示すように、カタログデータは、各ディスクメディアを識別可能な情報と、そのディスクメディアに含まれるファイルの識別情報（例えばファイルの名前）のテーブルから構成される。データファイルの識別情報に加えて、検索キーワード、データファイルの種類などの属性情報（メタデータ）等も格納される場合もある。
このようなカタログデータは、ディスクレコーダ装置やＰＣ内のハードディスクドライブ（ＨＤＤ）や不揮発性の半導体メモリ内に保管される。
カタログデータに対応した機器は、ディスクメディア内のファイル情報が更新されると、そのカタログデータを更新して最新の情報を維持するようにする。
そしてユーザは、それらの機器において提供されるカタログデータ検索機能により、ディスクメディアを機器に挿入することなくデータファイルの検索が可能となる。
ユーザは、カタログ検索システムにより所望のデータファイルがどのディスクメディアに実際に記録されているかを調べた後、実際にそのディスクメディアを記録再生装置に挿入する必要がある。この時点で、複数のディスクメディアの中から、実ファイルが記録されている特定のディスクメディアを識別する必要が生じる。
そこで従来、記録媒体を識別するために幾つかの方式が提案されてきた。
例えば、記録媒体の一種である光ディスクの製造工程において、シリアル番号やロット番号などをバーコード化して光ディスク上に記録していた。あるいは、ＩＣメモリカードを記録媒体の表面やカートリッジにはりつけて、媒体の識別情報を保持させる方式も提案されている。
また、特許文献１（特開２０００−２２２７４３号公報）のように、ディスクメディアの識別情報として、特殊なレーザ記録装置により光ディスクのデータ領域のさらに内周側の反射膜を焼き切ることにより識別情報を記録する方式も提案されている。
また、記録媒体の識別のための異なる方式としては、ファイルシステムのボリュームラベル機能を用いる方式もある。データファイルを管理するファイルシステムにおいては、ディスク上のデータ領域をボリューム空間として管理を行い、そのボリューム空間に対してラベル（ボリュームラベル）を設定し保持しておく機能が一般的に提供される。このボリュームラベルを記録媒体の識別情報として用いることが行われている。
あるいは、ファイルシステム上で所定ファイルを設けてその中に識別情報を保持することも行われていた。
また、特許文献２（特開２００３−３０９３４号公報）では、ディスクメディアの管理領域内に記録される欠陥情報領域（ＤＭＡ：  Ｄｅｆｅｃｔ  Ｍａｎａｇｅｍｅｎｔ  Ａｒｅａ）上の情報を、ディスクの識別情報として用いる。
ここで図９を用いてＤＭＡについて説明する。
ディスクメディアにおいては、欠陥管理と呼ばれる、欠陥セクタを他のセクタに置き換える交替処理が行われる。これにより、ディスクメディアに記録されたデータの信頼性を向上させることが可能となる。
ＤＭＡは、欠陥管理機構のための情報を管理する目的で設けられ、ディスクメディアの構造を定義したＤＤＳ（Ｄｉｓｃ  Ｄｅｆｉｎｉｔｉｏｎ  Ｓｔｒｕｃｔｕｒｅ）と欠陥管理リストからなっている。
ＤＤＳの先頭には、このデータ構造がＤＤＳであることを示すＤＤＳ識別子が納められ、続いてパーティション情報が記録されている。
また、欠陥リストを構成するＰＤＬおよびＳＤＬの位置情報（先頭アドレス）も記録されている。
ＰＤＬとＳＤＬの先頭には、それぞれのデータ構造がＰＤＬとＳＤＬの先頭であることを示すための識別子が納められ、続いてリスト長と欠陥リスト（ＰＤＬリストおよびＳＤＬリスト）が納められている。
ＰＤＬリストは、複数のエントリーを持ち、各エントリーが１つの欠陥セクタの位置情報を持つ。ＳＤＬリストも複数のエントリーを持つが、各１エントリーは２つのセクタの位置情報から構成され、第１の位置情報は欠陥セクタの位置情報であり、第２の位置情報は、この欠陥セクタを代替する代替セクタの位置情報を持っている。
特許文献２では、このような欠陥リストが、ディスクメディア毎に異なることを利用し、欠陥リスト情報を記録媒体の媒体識別情報としている。
ＤＭＡおよびその書換え処理については、特許文献３（特許第２８８７９４９号公報）の図８等でも述べられている。
上述のような、記録媒体を識別可能な情報は、ディスクカタログ以外にも様々な応用に利用されている。
例えば、特定の記録媒体およびファイルに対するユーザのアクセス履歴の管理や、特定の記録媒体に対する電子データの配布に際しての、配布先の特定や管理に利用可能である。
上述のようにこれまで様々な媒体識別情報に関する方式が提案されてきたが、いずれの方式も課題が存在する。
バーコード化情報による媒体識別方式では光ピックアップとバーコード化情報の読み取り装置が必要となり、再生装置の構造が複雑となる課題があった。ＩＣメモリカードを記録媒体の表面やカートリッジにはりつけても専用の読み取り装置が必要となり同様の課題がある。
特許文献１のような特殊なレーザ記録装置により光ディスクの反射膜を焼き切る方式では特殊な製造設備が必要であり、ディスクメディアの製造コストが高くなってしまう。また、記録媒体の製造時にしか記録できないことも課題である。
さらに、上述のバーコードによる方式と違って、単一の光ピックアップで読み出しが可能であるが、通常の光ディスクの管理情報とは異なる位置に媒体識別情報が記録されるので、その分、光ピックアップの余分なアクセス動作が必要とされ、ディスクメディアが記録再生装置に挿入された際において、ユーザを待たせる時間が長くなってしまい、操作性が悪化する。
また、再生装置の実装として、この媒体識別情報を読み出すための特殊な読み出し処理ルーチンも用意する必要がある。
ボリュームラベル等のファイルシステム上の情報として媒体識別情報を保持する方式では、ユーザから操作可能なデータとなるので、ユーザの誤操作等により書き換えられてしまう可能性があった。さらに、ディスクをフォーマットすることによりボリュームラベルが消えてしまうので継続的なデータ管理に使用することが困難である。
特許文献２の方式では、記録媒体に対する記録再生動作に伴い、欠陥リスト情報自体が変化していくのでカタログデータに対して媒体識別情報を用いることが困難である。また、特許文献２の欠陥リスト情報自体には交替処理が行われないので、その信頼性に課題が残る。
【発明の開示】
本発明はかかる点に鑑み、記録媒体に関する構造的特徴情報が記録されている領域に媒体識別情報を記録することにより、媒体識別情報の信頼性の高い記録媒体、並びに、そのような記録媒体を実現することが可能な記録再生装置および記録再生方法を提供することを目的とする。
上記の目的を達成するために、本発明にかかる記録再生装置は、記録媒体に対して情報の記録再生を行う記録再生部と、前記記録再生部の動作を制御する制御部とを備え、前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御することを特徴とする。
また、上記の目的を達成するために、本発明にかかる第１の記録再生方法は、記録媒体上の管理データ領域において、当該記録媒体に関する構造的特徴情報が記録されている領域へアクセスするステップと、前記構造的特徴情報が記録されている領域内の複数箇所に、前記記録媒体のそれぞれの識別を可能とする媒体識別情報を重複して記録するステップとを含むことを特徴とする。
本発明にかかる第２の記録再生方法は、記録媒体上の管理データ領域において、当該記録媒体に関する構造的特徴情報が記録されている領域へアクセスするステップと、前記構造的特徴情報が記録されている領域内の複数箇所に重複して記録され、前記記録媒体のそれぞれの識別を可能とする媒体識別情報を、前記複数箇所の少なくとも一つから再生するステップとを含むことを特徴とする。
また、上記の目的を達成するために、本発明にかかる記録媒体は、情報が記録される記録媒体であって、ユーザデータが記録されるユーザデータ領域と、管理データが記録される管理データ領域とを備え、前記管理データ領域において当該記録媒体に関する構造的特徴情報が記録されている領域の複数箇所に、記録媒体のそれぞれの識別を可能とする媒体識別情報が重複して記録されることを特徴とする。
さらに、本発明にかかるホスト装置は、記録再生装置に対して、記録媒体を用いた情報の記録再生を指示するホスト装置であって、前記記録再生装置との間で情報の送受信を行う送受信部と、前記記録媒体の管理データ領域において、当該記録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えたことを特徴とする。
本発明によれば、特別な部品や装置を用いることなく、信頼性の高い媒体識別情報を記録媒体に記録することができる記録再生装置を安価に提供できる。
また、記録媒体をフォーマットしても同じ媒体識別情報が保持されるので、記録媒体の生涯を通じて確実な記録媒体の識別が可能である。
さらに、記録媒体の記録再生に先だって、記録媒体の構造的特徴情報と共に媒体識別情報が必ず読み出されるので、媒体識別情報を読み出すための余分なアクセス動作が不要であり、速やかな機器の動作開始と媒体識別情報の出力が可能となる。これにより、り、ユーザの使い勝手を向上させることができる。そして、そのような読み出し処理の実装は、従来の機器に対して大きく変更を加えることなく実現可能である。
【図面の簡単な説明】  図１は、本発明の実施の形態１にかかる記録再生装置の外観と関連機器とのインタフェースの例示図である。
図２（ａ）は、記録可能なディスクメディアの記録領域を表した図である。図２（ｂ）は、図２（ａ）において同心円状に示されるリードイン領域と、リードアウト領域と、データ領域を横方向に配置した説明図である。図２（ｃ）は、論理セクタにより構成されるディスクメディア１００の論理的なデータ空間を示す図である。
図３は、本発明の実施の形態１にかかるＤＭＡのデータ構成図である。
図４は、本発明の実施の形態１にかかる記録再生装置の機能を示すブロック構成図である。
図５は、フォーマット動作を示すフローチャートの一例を説明するための図である。
図６は、媒体識別情報の再生動作を示すフローチャート一例を説明するための図である。
図７は、従来のディスクメディア１００に記録されるディレクトリとファイルの階層構造を示す図である。
図８は、従来のカタログデータの概念図である。
図９は、従来のＤＤＳ、ＰＤＬ、およびＳＤＬのデータ構成図である。
【発明を実施するための最良の形態】  本発明にかかる記録再生装置は、記録媒体に対して情報の記録再生を行う記録再生部と、前記記録再生部の動作を制御する制御部とを備え、前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御する構成である。管理データ領域とは、ユーザデータとは異なる管理データを記録するための領域である。
前記構造的特徴情報が記録されている領域は、前記記録媒体の複数のセクタからなる誤り訂正単位内に設けられていることが好ましい。また、前記誤り訂正単位は、例えばＥＣＣブロックである。
また、上記の構成において、前記構造的特徴情報が記録されている領域に前記媒体識別情報を記録するとき、前記制御部が、当該領域に媒体識別情報が既に記録されているかどうかを判定し、媒体識別情報が記録されていなければ媒体識別情報の記録を実行するよう前記記録再生部を制御することが好ましい。
さらに、上記の構成は、前記媒体識別情報の少なくとも一部を生成する識別情報生成部をさらに備え、前記記録再生部は、前記識別情報生成部で生成された情報に基づき媒体識別情報を記録することが好ましい。
あるいは、上記の構成は、記録再生を指示するホスト装置との間で情報の送受信を行う送受信部をさらに備え、前記記録再生部が、前記送受信部を介してホスト装置から受け取った情報を少なくとも一部に含む情報を、前記媒体識別情報として前記記録媒体へ記録することも好ましい。
あるいは、上記の構成は、前記構造的特徴情報が記録されている領域に前記媒体識別情報を記録するとき、前記制御部が、当該領域に媒体識別情報が既に記録されているかどうかを判定し、媒体識別情報が記録されていれば同じ媒体識別情報を当該領域内に記録することも好ましい。
また、上記の構成において、メモリをさらに備え、前記記録媒体を初期化する際に、前記制御部が、当該記録媒体において前記構造的特徴情報が記録されている領域に媒体識別情報が記録されているかどうかを判定し、媒体識別情報が記録されていれば当該媒体識別情報を前記メモリへ記憶し、初期化が終了した後、前記メモリに記憶されている媒体識別情報を前記領域へ再度記録することも好ましい。
本発明にかかる第１の記録再生方法は、記録媒体上の管理データ領域において、当該記録媒体に関する構造的特徴情報が記録されている領域へアクセスするステップと、前記構造的特徴情報が記録されている領域内の複数箇所に、前記記録媒体のそれぞれの識別を可能とする媒体識別情報を重複して記録するステップとを含む。
上記の記録再生方法において、前記構造的特徴情報が記録されている領域に前記媒体識別情報を記録する前に、当該領域に媒体識別情報が既に記録されているかどうかを判定するステップをさらに含み、媒体識別情報が記録されていない場合に、前記媒体識別情報の記録ステップを実行することが好ましい。
上記の記録再生方法において、前記媒体識別情報の記録ステップを実行する前に、前記媒体識別情報の少なくとも一部を生成するステップをさらに含むことが好ましい。
上記の記録再生方法において、前記媒体識別情報の記録ステップを実行する前に、ホスト装置から媒体識別情報の少なくとも一部を受け取るステップをさらに含み、前記媒体識別情報の記録ステップにおいて、前記ホスト装置から受け取った情報を少なくとも一部に含む情報を、前記媒体識別情報として前記記録媒体へ記録することが好ましい。
上記の記録再生方法において、前記媒体識別情報の記録ステップを実行する前に、前記構造的特徴情報が記録されている領域に媒体識別情報が既に記録されているかどうかを判定するステップをさらに含み、媒体識別情報が既に記録されていれば、前記媒体識別情報の記録ステップにおいて、既に記録されている媒体識別情報と同じ媒体識別情報を当該領域内に記録することが好ましい。
上記の記録再生方法において、当該記録媒体において前記構造的特徴情報が記録されている領域に媒体識別情報が記録されているかどうかを判定し、媒体識別情報が記録されていれば当該媒体識別情報を前記メモリへ記憶するステップと、前記記録媒体を初期化するステップと、前記初期化が終了した後、前記メモリに記憶されている媒体識別情報を前記構造的特徴情報が記録されている領域へ再度記録するステップとをさらに含むことが好ましい。
本発明にかかる第２の記録再生方法は、記録媒体上の管理データ領域において、当該記録媒体に関する構造的特徴情報が記録されている領域へアクセスするステップと、前記構造的特徴情報が記録されている領域内の複数箇所に重複して記録され、前記記録媒体のそれぞれの識別を可能とする媒体識別情報を、前記複数箇所の少なくとも一つから再生するステップとを含む。
上記第２の記録再生方法において、前記媒体識別情報の再生ステップが、前記複数箇所のいずれかで再生エラーが発生した場合、前記複数箇所のうち他の箇所へアクセスし、媒体識別情報の再生を試みるステップを含むことが好ましい。
上記の第２の記録再生方法において、前記媒体識別情報の再生ステップが、前記記録媒体の複数箇所に記録された構造的特徴情報をすべて再生するステップと、再生された前記構造的特徴情報にエラー訂正処理を実施するステップと、前記エラー訂正処理を経て正常に再生された構造的特徴情報データから、媒体識別情報を取り出すステップとを含むことが好ましい。さらに、前記エラー訂正処理を経て正常に再生された構造的特徴情報の数をカウントし、その数が予め決められた基準を満たさない場合、記録媒体に異常があると判定するステップをさらに含むことも好ましい。
本発明にかかる記録媒体は、情報が記録される記録媒体であって、ユーザデータが記録されるユーザデータ領域と、管理データが記録される管理データ領域とを備え、前記管理データ領域において当該記録媒体に関する構造的特徴情報が記録されている領域の複数箇所に、記録媒体のそれぞれの識別を可能とする媒体識別情報が重複して記録される。
前記の記録媒体において、構造的特徴情報が記録されている領域は、前記記録媒体の複数のセクタからなる誤り訂正単位内に設けられていることが好ましい。前記誤り訂正単位は、例えばＥＣＣブロックである。
本発明にかかるホスト装置は、記録再生装置に対して、記録媒体を用いた情報の記録再生を指示するホスト装置であって、前記記録再生装置との間で情報の送受信を行う送受信部と、前記記録媒体の管理データ領域において、当該記録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えた構成である。
以下、本発明の具体的な実施形態について、図面を参照しながら説明する。
（実施の形態１）
図１は、本発明の記録再生装置の一例である、ディスクレコーダ装置の外観と関連機器とのインタフェースの一例を説明するための図である。
図１に示されるように、ディスクレコーダ装置は、記録媒体であるディスクメディアが装填され、ビデオ情報等の記録再生が行われる。
ディスクレコーダ装置に入力されるビデオ情報には、アナログ放送からのアナログ信号やデジタル放送からのデジタル信号がある。一般的に、アナログ放送は、テレビジョン装置に内蔵されている受信機により受信、復調され、ＮＴＳＣ方式等のアナログビデオ信号としてディスクレコーダ装置に入力される。また、デジタル放送は、受信機であるＳＴＢ（Ｓｅｔ  Ｔｏｐ  Ｂｏｘ）でデジタル信号に復調され、ディスクレコーダ装置に入力され記録される。
また、ディスクレコーダ装置は、ビデオ情報が記録されたディスクメディアを再生し、再生したビデオ情報を外部に出力する機能も有する。出力される信号も、入力される信号と同様に、アナログ信号とデジタル信号の両者がある。アナログ信号であれば、直接テレビジョン装置に入力され、デジタル信号であれば、ＳＴＢを経由し、アナログ信号に変換された後にテレビジョン装置に入力され、テレビジョン装置で映像として表示される。
さらに、ディスクメディアを利用する記録再生装置の他の例としては、ディスクカムコーダ装置がある。ディスクカムコーダ装置は、ディスクレコーダ装置にレンズやＣＣＤからなるカメラ装置を組み合わせた装置であり、カメラ装置により撮影した動画情報を符号化してディスクメディアへ記録する。
本発明の記録再生装置のさらに他の例としては、パーソナルコンピュータ（ＰＣ）向けの周辺機器としての記録再生装置も存在し、これによりＰＣ上でビデオ情報やその他のデータの記録再生あるいは編集等が行われる。
ビデオ情報は、一般的には動画であるが、その他にも音声情報や静止画の場合もある。例えば、ディスクカムコーダ装置の写真機能で静止画が記録される場合が該当する。
記録再生装置と他の機器（例えば、ＳＴＢやＰＣ等）との間のデジタルＩ／Ｆには、ＩＥＥＥ１３９４、ＡＴＡＰＩ、ＳＣＳＩ、ＵＳＢ、イーサネット（登録商標）等の有線ＬＡＮ、無線ＬＡＮ等がある。
背景技術で述べたようなカタログデータは、ディスクレコーダ装置やディスクカムコーダ装置、ＰＣ等が内蔵するＨＤＤや不揮発性の半導体メモリ、等に保持される。あるいは、特定のディスクメディアや半導体メモリなどの取り外し可能な記録媒体に格納する場合もある。
図２（ａ）および図２（ｂ）は、本発明の記録媒体の一例であるディスクメディアの外観とデータ構造を表した図である。なお、本図では示していないが、ＤＶＤ−ＲＡＭのようなディスクメディアは、記録面を保護するのを目的として、カートリッジに収納された状態で記録再生装置に装填される場合もある。
図２（ａ）は、記録可能なディスクメディア１００の記録領域の一例を表した図である。図２（ａ）の例では、管理データ領域であるリードイン領域１０１が最内周に、リードアウト領域１０３が最外周に、その間にユーザデータ領域であるデータ領域１０２が配置されている。
リードイン領域１０１は、ディスクメディア１００に対してデータの記録再生を行う光ピックアップのアクセス時にサーボを安定させるために必要な基準信号や、他の種別信号などが記録されている。リードアウト領域１０３にも、リードイン領域１０１と同様の基準信号などが記録される。
図２（ｂ）は、図２（ａ）において同心円状に示されるリードイン領域１０１と、データ領域１０２と、リードアウト領域１０３を横方向に配置した説明図である。
リードイン領域１０１と、データ領域１０２と、リードアウト領域１０３上は、物理セクタと呼ばれる管理単位で管理され、各領域へのアクセスやデータの配置はこの物理セクタを単位として行われる。物理セクタには、連続的な物理セクタ番号（ＰＳＮ：Ｐｈｙｓｉｃａｌ  Ｓｅｃｔｏｒ  Ｎｕｍｂｅｒ）が割り当てられる。
そして、複数の物理セクタで一つのＥＣＣ（誤り訂正符号）ブロック（または、ＥＣＣクラスタとも呼ぶ）を構成する。ＥＣＣブロックを１単位としてエラー訂正処理を施すことにより、記録再生するデータの信頼性を向上させている。
ディスクメディアの一例であるＤＶＤ−ＲＡＭディスクの場合、セクタのサイズは２ＫＢで、１６セクタ＝ＩＥＣＣブロックで構成されている。このセクタサイズは、ディスクメディア１００の種類に応じて、１セクタは５１２Ｂ（Ｂｙｔｅ）でもよいし、８ＫＢ等でもよい。
また、ＥＣＣブロックも１セクタ、１６セクタ、３２セクタ等でもよい。今後、記録媒体の記憶容量密度の増大に伴い、セクタサイズおよびＥＣＣブロックを構成するセクタ数は増大すると予想される。
物理セクタが割り当てられた領域の内、ユーザデータ記録に使用されるセクタを論理セクタとして管理する。論理セクタには、連続的な論理セクタ番号（ＬＳＮ：Ｌｏｇｉｃａｌ  Ｓｅｃｔｏｒ  Ｎｕｍｂｅｒ）が割り当てられて管理される。
リードイン領域１０１とリードアウト領域１０２は、その内部に複数の欠陥管理領域（ＤＭＡ：Ｄｅｆｅｃｔ  Ｍａｎａｇｅｍｅｎｔ  Ａｒｅａ）を有する。
ＤＭＡとは、ディスクメディア上で欠陥が生じた物理セクタ（またはＥＣＣブロック）の位置を示す欠陥位置情報と、その欠陥セクタ（または欠陥ブロック）を代替する物理セクタ（またはＥＣＣブロック）が、後述する代替領域のいずれに存在するかを示す代替位置情報とが記録されている領域をいう。
なお、以下の説明では、セクタを単位として欠陥管理機構について述べるが、ＥＣＣブロックを単位として欠陥管理を行ってもよい。
なお、ＥＣＣブロックを単位として欠陥管理を行う場合、欠陥位置情報および代替位置情報は、それぞれ対応するＥＣＣブロックの先頭物理セクタの位置を示す。
データ領域１０２は、その内部に代替領域とユーザ領域を有している。代替領域は欠陥セクタが存在する場合に代替使用される領域であり、データ領域中の特定の領域に設けられる。ユーザ領域は、ファイルシステムが記録用領域として利用することができる領域をいう。
図２（ｃ）は、論理セクタ空間上に構成されるディスクメディアの論理的なデータ空間を示す図である。論理的なデータ空間は、ボリューム空間と呼称され、データファイル等のユーザデータが記録される。
ボリューム空間においては、記録されたデータをファイルシステムで管理する。すなわち、データを格納する１群のセクタをファイルとして、さらには１群のファイルをディレクトリとして管理するための情報がボリューム空間内のパーティション空間内に記録され、パーティション空間等を管理するためのボリューム構造情報がボリューム領域の先頭と終端に記録される。
ＤＶＤ−ＲＡＭ等のディスクメディアでは、ファイルシステムは、ＵＤＦと呼称され、ＩＳＯ１３３４６規格に準拠したものが一般的に使用される。ＵＤＦのパーティション空間では、データアクセスの単位毎に論理ブロック番号（ＬＢＮ：Ｌｏｇｉｃａｌ  Ｂｌｏｃｋ  Ｎｕｍｂｅｒ）が割り当てられ、データの配置や管理が行われる。
図３は、本実施の形態におけるＤＭＡのデータ構造の一例を示す図である。
ＤＭＡ２００は、ディスクメディア１００の構造的特徴情報を定義したＤＤＳ２０１（Ｄｉｓｃ  Ｄｅｆｉｎｉｔｉｏｎ  Ｓｔｒｕｃｔｕｒｅ）と、欠陥リストであるＰＤＬ２０２およびＳＤＬ２０３からなる。
ＤＤＳ２０１は、ＤＤＳヘッダ、パーティション情報、欠陥リストへの位置情報（先頭アドレス）、媒体識別情報２１０、等からなる。
ＤＤＳヘッダには、このセクタがＤＤＳであることを示すＤＤＳ識別子や、ＤＤＳ２０１やＰＤＬ２０２のデータが書き換えられるたびに加算される更新回数カウンタ、等が含まれる。
パーティション情報には、当該ディスクメディアの代替領域の開始アドレスや容量、代替領域の使用状況、ユーザ領域の開始アドレス等が記録される。
媒体識別情報２１０は、当該ディスクメディアに固有の情報であり、当該ディスクメディアを他のディスクメディアから識別するための情報として、シリアルナンバーや乱数値、ロットナンバー、あるいは、当該ディスクメディアを製造したメーカーのメーカーコード等が、後述する本実施形態の記録再生装置により記録される。さらに、媒体識別情報２１０中には、そこに含まれる情報が有効であるかどうかを示すフラグ情報も含まれている。
ＰＤＬ２０２には、ＰＤＬヘッダと、ＰＤＬエントリーのリスト（ＰＤＬリスト）が納められている。ＰＤＬヘッダには、このセクタがＰＤＬの先頭であることを示すために識別子や、ＰＤＬリストのリスト長、等が記録される。ＰＤＬリストは、複数のＰＤＬエントリーを持ち、各ＰＤＬエントリーが１つの欠陥セクタの位置情報を持つ。ＰＤＬリストにはサーティフィケーション（ディスク検査）時に検出された欠陥セクタが登録される。
ＳＤＬ２０３の先頭には、ＳＤＬヘッダと、ＳＤＬエントリーのリスト（ＳＤＬリスト）が納められている。ＳＤＬヘッダは、このセクタがＳＤＬの先頭であることを示すために識別子や、ＳＤＬ２０３のデータが書き換えられるたびに加算される更新回数カウンタ、ＳＤＬリストのリスト長、等が記録される。ＳＤＬリストは複数のＳＤＬエントリーを持ち、各ＳＤＬエントリーは２つのセクタの位置情報から構成される。
第１の位置情報は欠陥セクタの位置情報であり、第２の位置情報は、この欠陥セクタを代替する代替領域中の代替セクタの位置情報を持っている。
図２（ｂ）に示したように、ＤＭＡ２００は、ディスクメディア１００のリードイン領域１０１およびリードアウト領域１０３の複数箇所に重複して記録される（ＤＭＡ２００＃１〜ＤＭＡ２００＃４）。これにより、ＤＭＡ内のデータの信頼性が確保されている。なお、図２（ｂ）の例では、リードイン領域１０１に２箇所、リードアウト領域１０３に２箇所、合計４箇所にＤＭＡ２００を重複して記録した例を示したが、ＤＭＡの記録箇所はこの具体例にのみ限定されない。例えば、リードイン領域１０１およびリードアウト領域１０３のそれぞれにおいて３箇所以上にＤＭＡを記録しても良い。また、リードイン領域１０１あるいはリードアウト領域１０３のいずれかのみにおいて２箇所以上にＤＭＡを記録しても良い。あるいは、リードイン領域１０１とリードアウト領域１０３のそれぞれにおいて１箇所ずつ、合計２箇所にＤＭＡを記録しても良い。
ＤＤＳ２０１とＰＤＬ２０２はフォーマット（ディスク初期化）処理において記録され、ＳＤＬ２０３はフォーマット処理および記録再生処理において欠陥セクタが検出された場合に更新記録される。
そしてＤＤＳ２０１、ＰＤＬ２０２およびＳＤＬ２０３はそれぞれ独立したＥＣＣブロック内に記録される。
それぞれのデータ容量をＥＣＣブロックの容量にあわせるために、各構造の最後にリザーブ領域（たとえはすべて００ｈを記録する領域）を設ける。あるいは、リザーブ領域の代わりに、媒体識別情報２１０以外の媒体固有情報を記録するようにしてもよい。なお、媒体識別情報以外の媒体固有情報とは、例えば、そのディスクメディア１００の記録または再生時のレーザパワーに関する情報等を含む。
図４は、本実施形態にかかる記録再生装置３００の一構成例を示すブロック図である。記録再生装置３００は、ホスト部３５０からの指令に従い、ディスクメディア１００に対してデータの記録または再生を行う。
コントローラ３０１は、その内部に格納された制御プログラムを用いて、内部バス３０２を介して記録再生装置３００全体を制御する回路である。
ドライブ装置３０３（記録再生部）には光ピックアップ（図示せず）等が含まれており、ディスクメディア１００に対してデータの記録再生動作を実行する。
メモリ３０４は、各種のデータを保持するメモリ回路である。例えば、ディスクメディア１００から読み出したセクタデータを一時的に保持したり、ディスクメディア１００へ記録する前のデータを一時的に保持したり、コントローラ３０１が処理を行う際に、一時的な情報を保持したりする。
さらに、後述するように、ディスクメディア１００から読み出したＤＭＡ２００＃１〜２００＃４のデータおよびそれらのデータの状態を管理する管理情報を保持する用途にも使用される。
記録再生制御回路３０５（制御部）は、コントローラ３０１からの指示を受け、ドライブ装置３０３を制御してディスクメディア１００へデータを記録したり、データの再生やアドレスデータの復調を行ったりする。
ＥＣＣ処理部３０６は、データ記録動作では、複数のセクタデータからなる記録データに対するエラー訂正符号を付加し、データ再生動作では複数のセクタデータからなる再生データに対するエラー訂正処理を行う。データ再生動作において訂正不能なエラーが検出されたときには、訂正不能であることをコントローラ３０１へ通知する。
ホストＩ／Ｆ３０７は、ＳＣＳＩやＡＴＡＰＩのようなインタフェースで、ホスト部３５０と接続され、ホスト部３５０との間の、コマンド、ユーザデータ、またはステータスなどの転送動作を制御する。
ホスト部３５０は、記録再生装置３００を含むディスクレコーダ装置やＰＣ等の機器を構成する他の部分であり、例えば、システム全体の制御を行うシステム制御部３５１、ユーザＩ／Ｆ部３５２、表示部３５３、ＡＶデータの連続的な記録再生を可能とするトラックバッファ３５４、ＡＶデータのエンコーダ３５５、デコーダ３５６等を含む。
次に、図４を用いて、ディスクメディア１００に対する各種の動作の概要について説明する。
［ユーザ領域への記録動作］
まず、ディスクメディア１００のユーザ領域への記録動作の場合を説明する。
ユーザ領域への記録動作の場合、ホスト部３５０からホストＩ／Ｆ３０７を介して記録コマンド（命令）と記録データが送られる。
コントローラ３０１は、ホスト部３５０から受けた記録コマンドを解釈し、内部バス３０２を介してメモリ３０４に記録データを格納する。
コントローラ３０１は、ＥＣＣ処理部３０６を制御して、メモリ３０４に格納された複数セクタからなるデータの組に対してエラー訂正符号を付加する。
コントローラ３０１は、記録再生制御回路３０５とドライブ装置３０３を制御し、記録コマンドにより指示されたセクタ位置に、メモリ３０４から内部バス３０２を介して読み出したエラー訂正符号が付加済みの記録データを記録させる。
［ＤＭＡの記録動作］
次に、ディスクメディア１００へのＤＭＡの記録動作の場合を説明する。
コントローラ３０１は、記録コマンドのパラメータを解釈して、ＤＭＡの記録が必要であると判断する。
コントローラ３０１は、ＥＣＣ処理部３０６を制御し、メモリ３０４に格納されたＤＭＡに記録されるデータに対して、エラー訂正符号を付加する。
コントローラ３０１は、記録再生制御回路３０５とドライブ装置３０３を制御し、ディスクメディア１００においてＤＭＡを記録するための領域に、メモリ３０４から内部バス３０２を介して読み出したエラー訂正符号が付加済みの記録データを記録させる。
［ユーザ領域の再生動作］
次に、ユーザ領域の再生動作の場合を説明する。
ユーザ領域の再生動作の場合、ホスト部３５０からホストＩ／Ｆ３０７を介して再生コマンドが送られる。
コントローラ３０１は、再生コマンドを受けたと解釈すると、記録再生制御回路３０５を制御し、再生コマンドにより指示されたディスクメディア１００上の位置から、再生コマンドにより指示された容量のデータを再生し、内部バス３０２を介して、ＥＣＣ処理部３０６へ渡す。ＥＣＣ処理部３０６は、再生データのエラー訂正を行い、メモリ３０４に格納する。
コントローラ３０１は、内部バス３０２およびホストＩ／Ｆ３０７を介してメモリ３０４から再生データをホスト部３５０へ転送する。
［ＤＭＡの再生動作］
次に、ＤＭＡの再生動作の場合を説明する。
コントローラ３０１は、再生コマンドのパラメータを解釈して、ＤＭＡの再生が必要であると判断する。
コントローラ３０１は、記録再生制御回路３０５を制御し、ＤＭＡからデータを再生し、内部バス３０２を介して、ＥＣＣ処理部３０６でエラー訂正を行い、メモリ３０４に格納する。
［ベリファイ動作］
次に、ベリファイ動作を説明する。
ベリファイ動作は、ディスクメディア１００への記録動作を行った後、このディスクメディア１００から通常の再生動作と同様にデータを再生することにより、正しくデータが記録されたことを確認する処理である。
［フォーマット動作］
次に、ディスクメディア１００に対するフォーマット動作を説明する。フォーマット動作とは、ディスクメディア１００の初期化を行うことを指す。
フォーマット動作においては、各ＤＭＡ中にＤＤＳ２０１と、ＰＤＬ２０２と、ＳＤＬ２０３が記録される。フォーマット動作については、後にさらに詳しく述べる。
［起動動作］
次に、起動動作について動作を説明する。
起動動作とは、記録再生装置３００のリセット時や、ディスクメディア１００の交換時などにおいて、ディスクメディア１００に対するデータの記録再生動作を実施するために、ＤＭＡを含むディスクメディア１００の管理情報を読み出すことである。
［ＳＤＬ更新動作］
次にＳＤＬ更新動作について動作を説明する。
ＳＤＬ更新動作とは、ディスクメディア１００に対するデータの記録再生動作において、新たな欠陥セクタが検出されたとき、ディスクメディア１００上のＳＤＬの情報を更新することである。
ＳＤＬの情報の更新とは、図３のＳＤＬリストへ新たなエントリ（検出された欠陥セクタの管理情報）を追加登録することである。
以上が、本実施形態にかかる記録再生装置３００の主な動作の概略説明である。
次に、本実施形態の記録再生装置３００が実行するフォーマット処理の動作の詳細について、図５のフローチャートを参照しながら以下に説明する。
［Ｓ１０１：フォーマットパラメータの設定］
ホスト部３５０は、フォーマット動作における制御パラメータであるフォーマットパラメータを設定したフォーマットコマンドを記録再生装置３００に対して発行する。
フォーマットコマンドを受け取ったコントローラ３０１は、フォーマットコマンドを解釈し、フォーマットパラメータの値を取得する。
以降のフォーマット動作は、このフォーマットパラメータに従って実施される。
フォーマットパラメータには、例えば、後述するサーティフィケーション実行の有無の指定、欠陥セクタを有するＤＭＡの許容数、等が含まれる。
さらに、フォーマットパラメータには、媒体識別情報２１０の記録に関するパラメータが含まれる。このパラメータには、媒体識別情報２１０が記録されていないときに、新たに媒体識別情報２１０を記録するかどうかの選択パラメータや、新たに媒体識別情報２１０を記録する場合の、記録すべき媒体識別情報の生成方法に関するパラメータ等が含まれる。
新たな媒体識別情報２１０の生成に関するパラメータとは、媒体識別情報２１０を記録再生装置３００の内部で生成するか、ホスト部３５０から与えるかの選択パラメータ等である。媒体識別情報２１０をホスト部３５０から与える場合は、媒体識別情報２１０の値そのものを、フォーマットパラメータ中に含んでいてもよい。
なお、ホスト部３５０が特定のフォーマットパラメータを与えない場合、すなわちデフォルト値でのフォーマット実行を指示した場合、コントローラ３０１は、その内部に格納されたフォーマットパラメータのデフォルト値を設定する。
図５の説明においては、デフォルト値でのフォーマット動作がホスト部３５０により指示されたものとする。
［Ｓ１０２：全ＤＭＡの読み出し］
コントローラ３０１は、ＤＭＡ２００＃１、ＤＭＡ２００＃２、ＤＭＡ２００＃３、ＤＭＡ２００＃４の順で、すべてのＤＭＡのデータを読み出す。
［Ｓ１０３：媒体識別情報の有効性判定］
コントローラ３０１は、ステップＳ１０２で読み出したＤＭＡデータに含まれる媒体識別情報２１０が有効な値であるかどうかを調べる。
有効な媒体識別情報２１０が記録されているかどうかの判断は、媒体識別情報２１０中にその値の有効性を示すフラグ情報を設けておくことにより判別可能となる。あるいは、媒体識別情報２１０が無効であることを示す所定の値を該当セクタへ記録しておくことにより判別することも可能である。例えば、００ｈのような値を無効データと定め、記録しておけばよい。
そして、媒体識別情報２１０の処理方法をフォーマットパラメータに従って決定する。上述の通り、ここでは、デフォルト値でのフォーマット動作について説明する。
媒体識別情報２１０のデフォルトの処理方法は、例えば次のような処理である。すなわち、ＤＭＡデータに有効な媒体識別情報２１０が含まれない場合、新規に設定を行い、含まれる場合は、その値は保持する。
よって図５においては、コントローラ３０１が有効な媒体識別情報２１０が既に記録されていると判断した場合は、媒体識別情報２１０の変更は行わず、媒体識別情報２１０をメモリ３０４中に保持した状態でステップＳ１０５へ進む。一方、有効な媒体識別情報２１０が記録されていないと判断した場合は、ステップＳ１０４へ進む。
［Ｓ１０４：媒体識別情報の新規設定］
コントローラ３０１は、新たに記録する媒体識別情報の値を決定する。媒体識別情報２１０の値の決定方法は、フォーマットパラメータにより指定される。
ここでは、決定方法のデフォルトとして、コントローラ３０１が媒体識別情報２１０を生成する方法が指定されている場合について説明する。
コントローラ３０１が媒体識別情報２１０の値を決定する場合、コントローラ３０１は、複数の識別媒体同士を識別可能な値を生成する。
この値を生成する方法としては、例えば、その時点での時間情報や、イーサネット（登録商標）やＩＥＥＥ１３９４等のデジタルインタフェース回路自体が保持しているＭＡＣアドレスや、デバイスＩＤ等を媒体識別情報とする方法が利用可能である。なお、これらの値をそのまま媒体識別情報として使用してもよいし、何らかの演算処理を施した結果を使用してもよい。
なお、媒体識別情報は重複しない値であることが保証されることが望ましいが、十分に桁数の多い乱数やシリアル番号等を用いて、実用上問題なく複数の識別媒体同士を識別可能であれば、他の方法により媒体識別情報２１０の値を決定してもよい。
ここで決定された媒体識別情報の値はメモリ３０４中のＤＤＳデータに設定される。
［Ｓ１０５：全ＤＭＡの無効化］
コントローラ３０１は、ＤＭＡ２００＃１、ＤＭＡ２００＃２、ＤＭＡ２００＃３、ＤＭＡ２００＃４の順で、すべてのＤＭＡ２００を無効化する。すなわち、コントローラ３０１は、各ＤＭＡに対して無効なデータを記録する。例えば、ＤＭＡのデータ値として無効な００ｈやＦＦｈのようなダミーデータが、ＤＭＡに記録される。
ただし、このとき、媒体識別情報２１０が記録されるセクタに関しては、ステップＳ１０３またはステップＳ１０４でメモリ３０４中に保持しておいた値を再度、同じセクタへ記録する。
なお、この時点ですべてのＤＭＡを無効化することにより、後述の処理において予期しない中断が発生しても、決定済みの媒体識別情報２１０を失ってしまうことを防げる。さらに、ＤＭＡ情報の矛盾が生じないようにすることもできる。
［Ｓ１０６：エラー判定］
ＤＭＡの無効化のためのデータの記録中あるいはその後のベリファイ処理においてエラーが発生したら、フォーマットエラーとしてステップＳ１１１へ進む。そうでなければステップＳ１０７へ進む。
［サーティフィケーション］
フォーマットパラメータによりサーティフィケーションの実行が指定された場合、ユーザ領域全体に対するテストデータの記録処理とベリファイ処理を実行する。この処理において検出された欠陥セクタの管理情報は、メモリ３０４中のＰＤＬデータに保持される。
［Ｓ１０８：全ＤＭＡ領域の記録］
コントローラ３０１は、サーティフィケーションの結果に応じたＤＭＡデータを生成し、メモリ３０４に保存する。また、このメモリ３０４上のＤＭＡデータに対して、ステップ１０３またはステップＳ１０４でメモリ３０４中に保持しておいた媒体識別情報２１０の値を設定する。そしてコントローラ３０１は、メモリ３０４に保存されたＤＭＡデータを、ＤＭＡ２００＃１、ＤＭＡ２００＃２、ＤＭＡ２００＃３、ＤＭＡ２００＃４の順ですべてのＤＭＡに対して記録する。
［Ｓ１０９：エラー判定］
ＤＭＡデータの記録中あるいはその後のベリファイ処理においてエラーが発生したら、フォーマットエラーとしてステップＳ１１１へ進む。そうでなければステップＳ１１０へ進む。
［Ｓ１１０：正常終了報告］
コントローラ３０１は、コマンドの正常終了をホスト部３５０に報告する。
［Ｓ１１１：エラー報告］
コントローラ３０１は、フォーマットエラーの発生をホスト部３５０に報告する。
記録再生装置３００では、以上のような手順でフォーマット処理が実行される。
以上より、媒体識別情報２１０のような記録媒体固有の情報をＤＤＳ中に設け、ディスクメディア１００の複数箇所に重複して記録することにより、特別な装置を用いることなく、高い信頼性を持って媒体識別情報２１０を記録することができる。
なお、上述のステップＳ１０４では、デフォルトの処理方法として、コントローラ３０１が媒体識別情報２１０を生成する場合について説明した。しかしながら、媒体識別情報２１０の決定は、上記に限られるものではなく、ホスト部３５０が記録再生装置３００に対して、フォーマットコマンドのパラメータとして、あるいは、専用のコマンドとして、媒体識別情報２１０の値を明示的に与えるようにしてもよい。あるいは、ホスト部３５０から与えられた媒体識別情報２１０の値の一部と、記録再生装置３００内で生成した媒体識別情報２１０の値の一部とを組み合わせて、媒体識別情報２１０全体を生成するようにしてもよい。
なお、上述のフォーマットパラメータで、有効な媒体識別情報２１０が記録されていなくても、媒体識別情報２１０を新たに記録しない、という設定を行うことも可能である。この場合、媒体識別情報２１０が無効であっても、ステップＳ１０３からステップＳ１０５へ進み、残りのステップでも、媒体識別情報２１０は無効なまま処理を行う。
次に、本実施形態の記録再生装置３００が、リセット時やディスク挿入時、あるいはホスト部３５０からの要求等のため、媒体識別情報２１０の再生を実行する媒体識別情報再生処理について、図６のフローチャートを参照しながら以下に説明する。
［Ｓ２０１：ＤＤＳ再生］
コントローラ３０１は、記録再生制御回路３０５を制御し、ＤＤＳ２０１を再生し、そのデータをメモリ３０４へ格納する。
［Ｓ２０２：再生データチェック］
ＥＣＣ処理部３０６が、ＤＤＳ２０１のデータに対してエラー訂正処理を行い、再生データが正常かどうかの判定を行う。
［Ｓ２０３：媒体識別情報出力］
ＤＤＳ２０１が正常に再生されたら、コントローラ３０１は、メモリ３０４内のＤＤＳデータから媒体識別情報２１０を取り出し、ホストＩ／Ｆ３０７を経由して、媒体識別情報２１０をホスト部３５０へ転送する。
［Ｓ２０４：再生エラー報告］
ＤＤＳ２０１が正常に再生されなかったら、コントローラ３０１は、ホスト部３５０へ再生エラーを報告する。
なお、再生エラーが発生した場合は、ディスクメディア１００の複数箇所に重複記録されているＤＭＡ２００のうち、他の箇所に記録されているＤＭＡ２００からＤＤＳ２０１を再度読み出し、上述のステップを繰り返す。例えば、最初にＤＭＡ２００＃１を再生して再生エラーになった場合は、次にＤＭＡ２００＃２がらのＤＤＳ２０１の再生を試みる。
そして、ディスクメディア１００上のすべてのＤＤＳ２０１が正常に再生されない場合は、コントローラ３０１は、ポスト部３５０へメディアエラーを報告する。
あるいは、最初にすべてのＤＭＡ２００＃１〜ＤＭＡ２００＃４からＤＤＳを再生してからエラー訂正処理を実施し、正常に再生されたＤＤＳデータから媒体識別情報２１０を取り出すようにしても良い。
この場合、正常に再生されたＤＤＳデータの数をカウントし、その数が予め決められた基準を上回らない場合は、メディアエラーと見なすようにしてもよい。
以上で説明した手順で、ディスクメディア１００に重複して記録されたＤＤＳ２０１から媒体識別情報２１０を再生する処理が実行される。
欠陥管理機構を備えたディスクメディア１００では、正しいデータへアクセスを行うために、ディスクメディア１００の挿入時にＤＭＡが必ず読み出される。そして、ディスクメディア１００からのデータ読み出しはＥＣＣブロック単位で行われるので、媒体識別情報２１０をＤＤＳ中に格納することにより、ディスクメディア１００の挿入時にすぐさま媒体識別情報２１０を認識できる。
よって、ホスト部３５０からの媒体識別情報２１０に対する再生要求に対して素早い応答が可能となる。その結果、媒体識別情報２１０を利用する様々な応用（例えば、ディスクメディア内のデータファイルのカタログ化、等）に対して、高い利便性を提供することが可能となる。
さらに、ＤＤＳの読み出し自体は、記録再生装置が一般に備える機能であるため、媒体識別情報２１０を読み出す機能は大幅な処理ルーチンの追加を行うことなく実現可能である。
次に、ＳＤＬ２０３の更新処理について述べる。
ディスクメディア１００に対する記録再生処理に際して、新たに欠陥セクタが検出されると、その欠陥セクタはＳＤＬ２０３に登録され、代替セクタが割り当てられる。
上述したようにＤＤＳ２０１、ＰＤＬ２０２およびＳＤＬ２０３は、それぞれ独立したＥＣＣブロックに記録されるので、ＳＤＬ２０３の書き換えに際しては、ＤＤＳ２０１とＰＤＬ２０２は影響を受けない。よって、いったん記録が行われた媒体識別情報２１０は、通常のデータ記録再生において破壊されることがなく、信頼性が低下することはない。
なお、図５ではフォーマット時に媒体識別情報２１０を記録するようにしたが、フォーマット時だけに限定されるものではなく、ホスト部３５０からの専用コマンドによる指示等により、フォーマット処理とは独立に媒体識別情報２１０だけを記録してもよい。
なお、上述の実施の形態においては、ＤＭＡ２００中に、ＤＤＳ２０１、ＰＤＬ２０２、ＳＤＬ２０３を記録したが、例えば、ＰＤＬ２０２の無いディスクメディア１００もあり得る。
【産業上の利用可能性】  本発明にかかる記録媒体は、媒体固有情報（例えば媒体識別情報）を有し、記録媒体を識別する必要のあるアプリケーション、例えばディスクカタログや記録媒体の利用履歴管理等の実現に有用である。
【図１】
2005029492.tif 000003
2005029492.tif 000004
【図３】
2005029492.tif 000005
【図４】
2005029492.tif 000006
【図５】
2005029492.tif 000007
【図６】
2005029492.tif 000008
【図７】
2005029492.tif 000009
2005029492.tif 000010
【図９】
2005029492.tif 000011
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
記録媒体に対して情報の記録再生を行う記録再生部と、
前記記録再生部の動作を制御する制御部とを備え、
前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御することを特徴とする記録再生装置。
【請求項２】
前記構造的特徴情報が記録されている領域が、前記記録媒体の複数のセクタからなる誤り訂正単位内に設けられている、請求の範囲１記載の記録再生装置。
【請求項３】
前記誤り訂正単位がＥＣＣブロックである、請求の範囲２に記載の記録再生装置。
【請求項４】
前記構造的特徴情報が記録されている領域に前記媒体識別情報を記録するとき、前記制御部が、当該領域に媒体識別情報が既に記録されているかどうかを判定し、媒体識別情報が記録されていなければ媒体識別情報の記録を実行するよう前記記録再生部を制御する、請求の範囲１〜３のいずれかに記載の記録再生装置。
【請求項５】
前記媒体識別情報の少なくとも一部を生成する識別情報生成部をさらに備え、
前記記録再生部は、前記識別情報生成部で生成された情報に基づき媒体識別情報を記録する、請求の範囲１〜４のいずれかに記載の記録再生装置。
【請求項６】
記録再生を指示するホスト装置との間で情報の送受信を行う送受信部をさらに備え、
前記記録再生部は、前記送受信部を介してホスト装置から受け取った情報を少なくとも一部に含む情報を、前記媒体識別情報として前記記録媒体へ記録する、請求の範囲１〜４のいずれかに記載の記録再生装置。
【請求項７】
前記構造的特徴情報が記録されている領域に前記媒体識別情報を記録するとき、前記制御部が、当該領域に媒体識別情報が既に記録されているかどうかを判定し、媒体識別情報が記録されていれば同じ媒体識別情報を当該領域内に記録する、請求の範囲１〜３のいずれかに記載の記録再生装置。
【請求項８】
メモリをさらに備え、
前記記録媒体を初期化する際に、前記制御部が、当該記録媒体において前記構造的特徴情報が記録されている領域に媒体識別情報が記録されているかどうかを判定し、媒体識別情報が記録されていれば当該媒体識別情報を前記メモリへ記憶し、初期化が終了した後、前記メモリに記憶されている媒体識別情報を前記領域へ再度記録する、請求の範囲１〜３のいずれかに記載の記録再生装置。
【請求項９】
記録媒体上の管理データ領域において、当該記録媒体に関する構造的特徴情報が記録されている領域へアクセスするステップと、
前記構造的特徴情報が記録されている領域内の複数箇所に、前記記録媒体のそれぞれの識別を可能とする媒体識別情報を重複して記録するステップとを含むことを特徴とする記録再生方法。
【請求項１０】
前記構造的特徴情報が記録されている領域が、前記記録媒体の複数のセクタからなる誤り訂正単位内に設けられている、請求の範囲９記載の記録再生方法。
【請求項１１】
前記誤り訂正単位がＥＣＣブロックである、請求の範囲１０に記載の記録再生方法。
【請求項１２】
前記構造的特徴情報が記録されている領域に前記媒体識別情報を記録する前に、当該領域に媒体識別情報が既に記録されているかどうかを判定するステップをさらに含み、
媒体識別情報が記録されていない場合に、前記媒体識別情報の記録ステップを実行する、請求の範囲９〜１１のいずれかに記載の記録再生方法。
【請求項１３】
前記媒体識別情報の記録ステップを実行する前に、前記媒体識別情報の少なくとも一部を生成するステップをさらに含む、請求の範囲９〜１１のいずれかに記載の記録再生方法。
【請求項１４】
前記媒体識別情報の記録ステップを実行する前に、ホスト装置から媒体識別情報の少なくとも一部を受け取るステップをさらに含み、
前記媒体識別情報の記録ステップにおいて、前記ホスト装置から受け取った情報を少なくとも一部に含む情報を、前記媒体識別情報として前記記録媒体へ記録する、請求の範囲９〜１１のいずれかに記載の記録再生方法。
【請求項１５】
前記媒体識別情報の記録ステップを実行する前に、前記構造的特徴情報が記録されている領域に媒体識別情報が既に記録されているかどうかを判定するステップをさらに含み、
媒体識別情報が既に記録されていれば、前記媒体識別情報の記録ステップにおいて、既に記録されている媒体識別情報と同じ媒体識別情報を当該領域内に記録する、請求の範囲９〜１１のいずれかに記載の記録再生方法。
【請求項１６】
当該記録媒体において前記構造的特徴情報が記録されている領域に媒体識別情報が記録されているかどうかを判定し、媒体識別情報が記録されていれば当該媒体識別情報を前記メモリへ記憶するステップと、
前記記録媒体を初期化するステップと、
前記初期化が終了した後、前記メモリに記憶されている媒体識別情報を前記構造的特徴情報が記録されている領域へ再度記録するステップとをさらに含む、請求の範囲９〜１１のいずれかに記載の記録再生方法。
【請求項１７】
記録媒体上の管理データ領域において、当該記録媒体に関する構造的特徴情報が記録されている領域へアクセスするステップと、
前記構造的特徴情報が記録されている領域内の複数箇所に重複して記録され、前記記録媒体のそれぞれの識別を可能とする媒体識別情報を、前記複数箇所の少なくとも一つから再生するステップとを含むことを特徴とする記録再生方法。
【請求項１８】
前記媒体識別情報の再生ステップが、前記複数箇所のいずれかで再生エラーが発生した場合、前記複数箇所のうち他の箇所へアクセスし、媒体識別情報の再生を試みるステップを含む、請求の範囲１７記載の記録再生方法。
【請求項１９】
前記媒体識別情報の再生ステップが、
前記記録媒体の複数箇所に記録された構造的特徴情報をすべて再生するステップと、
再生された前記構造的特徴情報にエラー訂正処理を実施するステップと、
前記エラー訂正処理を経て正常に再生された構造的特徴情報データから、媒体識別情報を取り出すステップとを含む、請求の範囲１７記載の記録再生方法。
【請求項２０】
前記エラー訂正処理を経て正常に再生された構造的特徴情報の数をカウントし、その数が予め決められた基準を満たさない場合、記録媒体に異常があると判定するステップをさらに含む、請求の範囲１９記載の記録再生方法。
【請求項２１】
情報が記録される記録媒体であって、
ユーザデータが記録されるユーザデータ領域と、管理データが記録される管理データ領域とを備え、
前記管理データ領域において当該記録媒体に関する構造的特徴情報が記録されている領域の複数箇所に、記録媒体のそれぞれの識別を可能とする媒体識別情報が重複して記録されることを特徴とする記録媒体。
【請求項２２】
前記構造的特徴情報が記録されている領域が、前記記録媒体の複数のセクタからなる誤り訂正単位内に設けられている、請求の範囲２１記載の記録媒体。
【請求項２３】
前記誤り訂正単位がＥＣＣブロックである、請求の範囲２２に記載の記録媒体。
【請求項２４】
記録再生装置に対して、記録媒体を用いた情報の記録再生を指示するホスト装置であって、
前記記録再生装置との間で情報の送受信を行う送受信部と、
前記記録媒体の管理データ領域において、当該記録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えたことを特徴とするホスト装置。
【手続補正２】
【補正対象書類名】明細書
【補正対象項目名】全文
【補正方法】変更
【補正の内容】
【発明の詳細な説明】
【技術分野】
【０００１】
本発明は、記録媒体とその記録再生装置に関し、特に媒体固有情報（例えば媒体識別情報）の記録および再生に関するものである。
【背景技術】
【０００２】
近年、デジタル化された動画情報や静止画情報などのＡＶデータを記録する可換型の記録媒体として、ディスクメディアが注目されつつある。例えば、ディスクメディアであるＤＶＤ、ハードディスク、ＭＤ（ミニディスク）等に対して、ＭＰＥＧ２やＪＰＥＧ等の符号化方式で符号化されたＡＶデータの記録・再生が行われる。
【０００３】
またＡＶデータ以外にも文書ファイルや電子メール等の様々な電子データもディスクメディアに格納される。
【０００４】
技術の進歩によりディスクメディアの記録容量は年々増大し、近年ではＧＢオーダーの容量が一般化しつつある。
【０００５】
図７は、このようなディスクメディアに記録されるデータをファイルとして管理するためのディレクトリおよびファイルの階層構造の一例を示す図である。
【０００６】
Ｒｏｏｔディレクトリを起点として複数のディレクトリおよびファイルが記録され、ディレクトリによってファイルをグループ化することによりデータの分類管理が可能である。
【０００７】
例えば、ＤＣＩＭディレクトリの下に拡張子がＪＰＧのファイルを集めることにより、静止画ファイルをまとめて管理するようなことが可能である。
【０００８】
このようなディレクトリによる管理が行われる一方、デジタル機器やネットワーク技術の普及に伴い、記録媒体にファイルとして格納されるデジタルデータの数や種類も増大している。そして、それらを格納するために記録媒体の数そのもののも増加し続けている。
【０００９】
よって、多数の記録媒体と、そこに記録された大量のファイルの管理を容易に行えるような技術が求められつつある。
【００１０】
特に、従来の可換型のディスクメディアにおいては、ディスクメディアの中にどんなファイルが格納されているか、ディスクメディアをその再生装置に挿入し、ファイルの一覧を表示するまで知ることができない。よって、複数のディスクメディアを所有している場合には、望みのデータがどのディスクメディアにあるかを知るために、順次、ディスクメディアを交換し、再生する作業を繰り返す必要があった。
【００１１】
このような状況に対応して、複数のディスクメディア内のデータファイルの情報をカタログ化し、パーソナルコンピュータ（ＰＣ）やディスクメディアを用いた据置き型のディスクレコーダ装置等の記録再生装置にそのカタログデータを保管しておくことが行われている。
【００１２】
例えば、図８（ａ）および図８（ｂ）に、複数のディスクメディアとカタログデータとの対応例を示す。図８（ａ）に示すように、ディスクメディア１〜３にはそれぞれ複数のファイルが記録されている。
【００１３】
図８（ｂ）に示すように、カタログデータは、各ディスクメディアを識別可能な情報と、そのディスクメディアに含まれるファイルの識別情報（例えばファイルの名前）のテーブルから構成される。データファイルの識別情報に加えて、検索キーワード、データファイルの種類などの属性情報（メタデータ）等も格納される場合もある。
【００１４】
このようなカタログデータは、ディスクレコーダ装置やＰＣ内のハードディスクドライブ（ＨＤＤ）や不揮発性の半導体メモリ内に保管される。
【００１５】
カタログデータに対応した機器は、ディスクメディア内のファイル情報が更新されると、そのカタログデータを更新して最新の情報を維持するようにする。
【００１６】
そしてユーザは、それらの機器において提供されるカタログデータ検索機能により、ディスクメディアを機器に挿入することなくデータファイルの検索が可能となる。
【００１７】
ユーザは、カタログ検索システムにより所望のデータファイルがどのディスクメディアに実際に記録されているかを調べた後、実際にそのディスクメディアを記録再生装置に挿入する必要がある。この時点で、複数のディスクメディアの中から、実ファイルが記録されている特定のディスクメディアを識別する必要が生じる。
【００１８】
そこで従来、記録媒体を識別するために幾つかの方式が提案されてきた。
【００１９】
例えば、記録媒体の一種である光ディスクの製造工程において、シリアル番号やロット番号などをバーコード化して光ディスク上に記録していた。あるいは、ＩＣメモリカードを記録媒体の表面やカートリッジにはりつけて、媒体の識別情報を保持させる方式も提案されている。
【００２０】
また、特許文献１（特開２０００−２２２７４３号公報）のように、ディスクメディアの識別情報として、特殊なレーザ記録装置により光ディスクのデータ領域のさらに内周側の反射膜を焼き切ることにより識別情報を記録する方式も提案されている。
【００２１】
また、記録媒体の識別のための異なる方式としては、ファイルシステムのボリュームラベル機能を用いる方式もある。データファイルを管理するファイルシステムにおいては、ディスク上のデータ領域をボリューム空間として管理を行い、そのボリューム空間に対してラベル（ボリュームラベル）を設定し保持しておく機能が一般的に提供される。このボリュームラベルを記録媒体の識別情報として用いることが行われている。
【００２２】
あるいは、ファイルシステム上で所定ファイルを設けてその中に識別情報を保持することも行われていた。
【００２３】
また、特許文献２（特開２００３−３０９３４号公報）では、ディスクメディアの管理領域内に記録される欠陥情報領域（ＤＭＡ：  Ｄｅｆｅｃｔ  Ｍａｎａｇｅｍｅｎｔ  Ａｒｅａ）上の情報を、ディスクの識別情報として用いる。
【００２４】
ここで図９を用いてＤＭＡについて説明する。
【００２５】
ディスクメディアにおいては、欠陥管理と呼ばれる、欠陥セクタを他のセクタに置き換える交替処理が行われる。これにより、ディスクメディアに記録されたデータの信頼性を向上させることが可能となる。
【００２６】
ＤＭＡは、欠陥管理機構のための情報を管理する目的で設けられ、ディスクメディアの構造を定義したＤＤＳ（Ｄｉｓｃ  Ｄｅｆｉｎｉｔｉｏｎ  Ｓｔｒｕｃｔｕｒｅ）と欠陥管理リストからなっている。
【００２７】
ＤＤＳの先頭には、このデータ構造がＤＤＳであることを示すＤＤＳ識別子が納められ、続いてパーティション情報が記録されている。
【００２８】
また、欠陥リストを構成するＰＤＬおよびＳＤＬの位置情報（先頭アドレス）も記録されている。
【００２９】
ＰＤＬとＳＤＬの先頭には、それぞれのデータ構造がＰＤＬとＳＤＬの先頭であることを示すための識別子が納められ、続いてリスト長と欠陥リスト（ＰＤＬリストおよびＳＤＬリスト）が納められている。
【００３０】
ＰＤＬリストは、複数のエントリーを持ち、各エントリーが１つの欠陥セクタの位置情報を持つ。ＳＤＬリストも複数のエントリーを持つが、各１エントリーは２つのセクタの位置情報から構成され、第１の位置情報は欠陥セクタの位置情報であり、第２の位置情報は、この欠陥セクタを代替する代替セクタの位置情報を持っている。
【００３１】
特許文献２では、このような欠陥リストが、ディスクメディア毎に異なることを利用し、欠陥リスト情報を記録媒体の媒体識別情報としている。
【００３２】
ＤＭＡおよびその書換え処理については、特許文献３（特許第２８８７９４９号公報）の図８等でも述べられている。
【００３３】
上述のような、記録媒体を識別可能な情報は、ディスクカタログ以外にも様々な応用に利用されている。
【００３４】
例えば、特定の記録媒体およびファイルに対するユーザのアクセス履歴の管理や、特定の記録媒体に対する電子データの配布に際しての、配布先の特定や管理に利用可能である。
【特許文献１】特開２０００−２２２７４３号公報
【特許文献２】特開２００３−３０９３４号公報
【特許文献３】特許第２８８７９４９号公報
【発明の開示】
【発明が解決しようとする課題】
【００３５】
上述のようにこれまで様々な媒体識別情報に関する方式が提案されてきたが、いずれの方式も課題が存在する。
【００３６】
バーコード化情報による媒体識別方式では光ピックアップとバーコード化情報の読み取り装置が必要となり、再生装置の構造が複雑となる課題があった。ＩＣメモリカードを記録媒体の表面やカートリッジにはりつけても専用の読み取り装置が必要となり同様の課題がある。
【００３７】
特許文献１のような特殊なレーザ記録装置により光ディスクの反射膜を焼き切る方式では特殊な製造設備が必要であり、ディスクメディアの製造コストが高くなってしまう。また、記録媒体の製造時にしか記録できないことも課題である。
【００３８】
さらに、上述のバーコードによる方式と違って、単一の光ピックアップで読み出しが可能であるが、通常の光ディスクの管理情報とは異なる位置に媒体識別情報が記録されるので、その分、光ピックアップの余分なアクセス動作が必要とされ、ディスクメディアが記録再生装置に挿入された際において、ユーザを待たせる時間が長くなってしまい、操作性が悪化する。
【００３９】
また、再生装置の実装として、この媒体識別情報を読み出すための特殊な読み出し処理ルーチンも用意する必要がある。
【００４０】
ボリュームラベル等のファイルシステム上の情報として媒体識別情報を保持する方式では、ユーザから操作可能なデータとなるので、ユーザの誤操作等により書き換えられてしまう可能性があった。さらに、ディスクをフォーマットすることによりボリュームラベルが消えてしまうので継続的なデータ管理に使用することが困難である。
【００４１】
特許文献２の方式では、記録媒体に対する記録再生動作に伴い、欠陥リスト情報自体が変化していくのでカタログデータに対して媒体識別情報を用いることが困難である。また、特許文献２の欠陥リスト情報自体には交替処理が行われないので、その信頼性に課題が残る。
【００４２】
本発明はかかる点に鑑み、記録媒体に関する構造的特徴情報が記録されている領域に媒体識別情報を記録することにより、媒体識別情報の信頼性の高い記録媒体、並びに、そのような記録媒体を実現することが可能な記録再生装置および記録再生方法を提供することを目的とする。
【課題を解決するための手段】
【００４３】
上記の目的を達成するために、本発明にかかる記録再生装置は、記録媒体に対して情報の記録再生を行う記録再生部と、前記記録再生部の動作を制御する制御部とを備え、前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御することを特徴とする。
【００４４】
また、上記の目的を達成するために、本発明にかかる第１の記録再生方法は、記録媒体上の管理データ領域において、当該記録媒体に関する構造的特徴情報が記録されている領域へアクセスするステップと、前記構造的特徴情報が記録されている領域内の複数箇所に、前記記録媒体のそれぞれの識別を可能とする媒体識別情報を重複して記録するステップとを含むことを特徴とする。
【００４５】
本発明にかかる第２の記録再生方法は、記録媒体上の管理データ領域において、当該記録媒体に関する構造的特徴情報が記録されている領域へアクセスするステップと、前記構造的特徴情報が記録されている領域内の複数箇所に重複して記録され、前記記録媒体のそれぞれの識別を可能とする媒体識別情報を、前記複数箇所の少なくとも一つから再生するステップとを含むことを特徴とする。
【００４６】
また、上記の目的を達成するために、本発明にかかる記録媒体は、情報が記録される記録媒体であって、ユーザデータが記録されるユーザデータ領域と、管理データが記録される管理データ領域とを備え、前記管理データ領域において当該記録媒体に関する構造的特徴情報が記録されている領域の複数箇所に、記録媒体のそれぞれの識別を可能とする媒体識別情報が重複して記録されることを特徴とする。
【００４７】
さらに、本発明にかかるホスト装置は、記録再生装置に対して、記録媒体を用いた情報の記録再生を指示するホスト装置であって、前記記録再生装置との間で情報の送受信を行う送受信部と、前記記録媒体の管理データ領域において、当該記録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えたことを特徴とする。
【００４８】
本発明によれば、特別な部品や装置を用いることなく、信頼性の高い媒体識別情報を記録媒体に記録することができる記録再生装置を安価に提供できる。
【００４９】
また、記録媒体をフォーマットしても同じ媒体識別情報が保持されるので、記録媒体の生涯を通じて確実な記録媒体の識別が可能である。
【００５０】
さらに、記録媒体の記録再生に先だって、記録媒体の構造的特徴情報と共に媒体識別情報が必ず読み出されるので、媒体識別情報を読み出すための余分なアクセス動作が不要であり、速やかな機器の動作開始と媒体識別情報の出力が可能となる。これにより、り、ユーザの使い勝手を向上させることができる。そして、そのような読み出し処理の実装は、従来の機器に対して大きく変更を加えることなく実現可能である。
【発明を実施するための最良の形態】
【００５１】
本発明にかかる記録再生装置は、記録媒体に対して情報の記録再生を行う記録再生部と、前記記録再生部の動作を制御する制御部とを備え、前記制御部が、前記記録媒体のそれぞれの識別を可能とする媒体識別情報を、前記記録媒体上の管理データ領域において当該記録媒体に関する構造的特徴情報が記録されている領域の複数箇所に重複して記録するよう、前記記録・再生部を制御する構成である。管理データ領域とは、ユーザデータとは異なる管理データを記録するための領域である。
【００５２】
前記構造的特徴情報が記録されている領域は、前記記録媒体の複数のセクタからなる誤り訂正単位内に設けられていることが好ましい。また、前記誤り訂正単位は、例えばＥＣＣブロックである。
【００５３】
また、上記の構成において、前記構造的特徴情報が記録されている領域に前記媒体識別情報を記録するとき、前記制御部が、当該領域に媒体識別情報が既に記録されているかどうかを判定し、媒体識別情報が記録されていなければ媒体識別情報の記録を実行するよう前記記録再生部を制御することが好ましい。
【００５４】
さらに、上記の構成は、前記媒体識別情報の少なくとも一部を生成する識別情報生成部をさらに備え、前記記録再生部は、前記識別情報生成部で生成された情報に基づき媒体識別情報を記録することが好ましい。
【００５５】
あるいは、上記の構成は、記録再生を指示するホスト装置との間で情報の送受信を行う送受信部をさらに備え、前記記録再生部が、前記送受信部を介してホスト装置から受け取った情報を少なくとも一部に含む情報を、前記媒体識別情報として前記記録媒体へ記録することも好ましい。
【００５６】
あるいは、上記の構成は、前記構造的特徴情報が記録されている領域に前記媒体識別情報を記録するとき、前記制御部が、当該領域に媒体識別情報が既に記録されているかどうかを判定し、媒体識別情報が記録されていれば同じ媒体識別情報を当該領域内に記録することも好ましい。
【００５７】
また、上記の構成において、メモリをさらに備え、前記記録媒体を初期化する際に、前記制御部が、当該記録媒体において前記構造的特徴情報が記録されている領域に媒体識別情報が記録されているかどうかを判定し、媒体識別情報が記録されていれば当該媒体識別情報を前記メモリへ記憶し、初期化が終了した後、前記メモリに記憶されている媒体識別情報を前記領域へ再度記録することも好ましい。
【００５８】
本発明にかかる第１の記録再生方法は、記録媒体上の管理データ領域において、当該記録媒体に関する構造的特徴情報が記録されている領域へアクセスするステップと、前記構造的特徴情報が記録されている領域内の複数箇所に、前記記録媒体のそれぞれの識別を可能とする媒体識別情報を重複して記録するステップとを含む。
【００５９】
上記の記録再生方法において、前記構造的特徴情報が記録されている領域に前記媒体識別情報を記録する前に、当該領域に媒体識別情報が既に記録されているかどうかを判定するステップをさらに含み、媒体識別情報が記録されていない場合に、前記媒体識別情報の記録ステップを実行することが好ましい。
【００６０】
上記の記録再生方法において、前記媒体識別情報の記録ステップを実行する前に、前記媒体識別情報の少なくとも一部を生成するステップをさらに含むことが好ましい。
【００６１】
上記の記録再生方法において、前記媒体識別情報の記録ステップを実行する前に、ホスト装置から媒体識別情報の少なくとも一部を受け取るステップをさらに含み、前記媒体識別情報の記録ステップにおいて、前記ホスト装置から受け取った情報を少なくとも一部に含む情報を、前記媒体識別情報として前記記録媒体へ記録することが好ましい。
【００６２】
上記の記録再生方法において、前記媒体識別情報の記録ステップを実行する前に、前記構造的特徴情報が記録されている領域に媒体識別情報が既に記録されているかどうかを判定するステップをさらに含み、媒体識別情報が既に記録されていれば、前記媒体識別情報の記録ステップにおいて、既に記録されている媒体識別情報と同じ媒体識別情報を当該領域内に記録することが好ましい。
【００６３】
上記の記録再生方法において、当該記録媒体において前記構造的特徴情報が記録されている領域に媒体識別情報が記録されているかどうかを判定し、媒体識別情報が記録されていれば当該媒体識別情報を前記メモリへ記憶するステップと、前記記録媒体を初期化するステップと、前記初期化が終了した後、前記メモリに記憶されている媒体識別情報を前記構造的特徴情報が記録されている領域へ再度記録するステップとをさらに含むことが好ましい。
【００６４】
本発明にかかる第２の記録再生方法は、記録媒体上の管理データ領域において、当該記録媒体に関する構造的特徴情報が記録されている領域へアクセスするステップと、前記構造的特徴情報が記録されている領域内の複数箇所に重複して記録され、前記記録媒体のそれぞれの識別を可能とする媒体識別情報を、前記複数箇所の少なくとも一つから再生するステップとを含む。
【００６５】
上記第２の記録再生方法において、前記媒体識別情報の再生ステップが、前記複数箇所のいずれかで再生エラーが発生した場合、前記複数箇所のうち他の箇所へアクセスし、媒体識別情報の再生を試みるステップを含むことが好ましい。
【００６６】
上記の第２の記録再生方法において、前記媒体識別情報の再生ステップが、前記記録媒体の複数箇所に記録された構造的特徴情報をすべて再生するステップと、再生された前記構造的特徴情報にエラー訂正処理を実施するステップと、前記エラー訂正処理を経て正常に再生された構造的特徴情報データから、媒体識別情報を取り出すステップとを含むことが好ましい。さらに、前記エラー訂正処理を経て正常に再生された構造的特徴情報の数をカウントし、その数が予め決められた基準を満たさない場合、記録媒体に異常があると判定するステップをさらに含むことも好ましい。
【００６７】
本発明にかかる記録媒体は、情報が記録される記録媒体であって、ユーザデータが記録されるユーザデータ領域と、管理データが記録される管理データ領域とを備え、前記管理データ領域において当該記録媒体に関する構造的特徴情報が記録されている領域の複数箇所に、記録媒体のそれぞれの識別を可能とする媒体識別情報が重複して記録される。
【００６８】
前記の記録媒体において、構造的特徴情報が記録されている領域は、前記記録媒体の複数のセクタからなる誤り訂正単位内に設けられていることが好ましい。前記誤り訂正単位は、例えばＥＣＣブロックである。
【００６９】
本発明にかかるホスト装置は、記録再生装置に対して、記録媒体を用いた情報の記録再生を指示するホスト装置であって、前記記録再生装置との間で情報の送受信を行う送受信部と、前記記録媒体の管理データ領域において、当該記録媒体に関する構造的特徴情報が記録されている領域の複数箇所に重複して記録される媒体識別情報として、記録媒体のそれぞれの識別を可能とする媒体識別情報の少なくとも一部を生成する識別情報生成部とを備えた構成である。
【００７０】
以下、本発明の具体的な実施形態について、図面を参照しながら説明する。
【００７１】
（実施の形態１）
図１は、本発明の記録再生装置の一例である、ディスクレコーダ装置の外観と関連機器とのインタフェースの一例を説明するための図である。
【００７２】
図１に示されるように、ディスクレコーダ装置は、記録媒体であるディスクメディアが装填され、ビデオ情報等の記録再生が行われる。
【００７３】
ディスクレコーダ装置に入力されるビデオ情報には、アナログ放送からのアナログ信号やデジタル放送からのデジタル信号がある。一般的に、アナログ放送は、テレビジョン装置に内蔵されている受信機により受信、復調され、ＮＴＳＣ方式等のアナログビデオ信号としてディスクレコーダ装置に入力される。また、デジタル放送は、受信機であるＳＴＢ（Ｓｅｔ  Ｔｏｐ  Ｂｏｘ）でデジタル信号に復調され、ディスクレコーダ装置に入力され記録される。
【００７４】
また、ディスクレコーダ装置は、ビデオ情報が記録されたディスクメディアを再生し、再生したビデオ情報を外部に出力する機能も有する。出力される信号も、入力される信号と同様に、アナログ信号とデジタル信号の両者がある。アナログ信号であれば、直接テレビジョン装置に入力され、デジタル信号であれば、ＳＴＢを経由し、アナログ信号に変換された後にテレビジョン装置に入力され、テレビジョン装置で映像として表示される。
【００７５】
さらに、ディスクメディアを利用する記録再生装置の他の例としては、ディスクカムコーダ装置がある。ディスクカムコーダ装置は、ディスクレコーダ装置にレンズやＣＣＤからなるカメラ装置を組み合わせた装置であり、カメラ装置により撮影した動画情報を符号化してディスクメディアへ記録する。
【００７６】
本発明の記録再生装置のさらに他の例としては、パーソナルコンピュータ（ＰＣ）向けの周辺機器としての記録再生装置も存在し、これによりＰＣ上でビデオ情報やその他のデータの記録再生あるいは編集等が行われる。
【００７７】
ビデオ情報は、一般的には動画であるが、その他にも音声情報や静止画の場合もある。例えば、ディスクカムコーダ装置の写真機能で静止画が記録される場合が該当する。
【００７８】
記録再生装置と他の機器（例えば、ＳＴＢやＰＣ等）との間のデジタルＩ／Ｆには、ＩＥＥＥ１３９４、ＡＴＡＰＩ、ＳＣＳＩ、ＵＳＢ、イーサネット（登録商標）等の有線ＬＡＮ、無線ＬＡＮ等がある。
【００７９】
背景技術で述べたようなカタログデータは、ディスクレコーダ装置やディスクカムコーダ装置、ＰＣ等が内蔵するＨＤＤや不揮発性の半導体メモリ、等に保持される。あるいは、特定のディスクメディアや半導体メモリなどの取り外し可能な記録媒体に格納する場合もある。
【００８０】
図２（ａ）および図２（ｂ）は、本発明の記録媒体の一例であるディスクメディアの外観とデータ構造を表した図である。なお、本図では示していないが、ＤＶＤ−ＲＡＭのようなディスクメディアは、記録面を保護するのを目的として、カートリッジに収納された状態で記録再生装置に装填される場合もある。
【００８１】
図２（ａ）は、記録可能なディスクメディア１００の記録領域の一例を表した図である。図２（ａ）の例では、管理データ領域であるリードイン領域１０１が最内周に、リードアウト領域１０３が最外周に、その間にユーザデータ領域であるデータ領域１０２が配置されている。
【００８２】
リードイン領域１０１は、ディスクメディア１００に対してデータの記録再生を行う光ピックアップのアクセス時にサーボを安定させるために必要な基準信号や、他の種別信号などが記録されている。リードアウト領域１０３にも、リードイン領域１０１と同様の基準信号などが記録される。
【００８３】
図２（ｂ）は、図２（ａ）において同心円状に示されるリードイン領域１０１と、データ領域１０２と、リードアウト領域１０３を横方向に配置した説明図である。
【００８４】
リードイン領域１０１と、データ領域１０２と、リードアウト領域１０３上は、物理セクタと呼ばれる管理単位で管理され、各領域へのアクセスやデータの配置はこの物理セクタを単位として行われる。物理セクタには、連続的な物理セクタ番号（ＰＳＮ：Ｐｈｙｓｉｃａｌ  Ｓｅｃｔｏｒ  Ｎｕｍｂｅｒ）が割り当てられる。
【００８５】
そして、複数の物理セクタで一つのＥＣＣ（誤り訂正符号）ブロック（または、ＥＣＣクラスタとも呼ぶ）を構成する。ＥＣＣブロックを１単位としてエラー訂正処理を施すことにより、記録再生するデータの信頼性を向上させている。
【００８６】
ディスクメディアの一例であるＤＶＤ−ＲＡＭディスクの場合、セクタのサイズは２ＫＢで、１６セクタ＝１ＥＣＣブロックで構成されている。このセクタサイズは、ディスクメディア１００の種類に応じて、１セクタは５１２Ｂ（Ｂｙｔｅ）でもよいし、８ＫＢ等でもよい。
【００８７】
また、ＥＣＣブロックも１セクタ、１６セクタ、３２セクタ等でもよい。今後、記録媒体の記憶容量密度の増大に伴い、セクタサイズおよびＥＣＣブロックを構成するセクタ数は増大すると予想される。
【００８８】
物理セクタが割り当てられた領域の内、ユーザデータ記録に使用されるセクタを論理セクタとして管理する。論理セクタには、連続的な論理セクタ番号（ＬＳＮ：Ｌｏｇｉｃａｌ  Ｓｅｃｔｏｒ  Ｎｕｍｂｅｒ）が割り当てられて管理される。
【００８９】
リードイン領域１０１とリードアウト領域１０２は、その内部に複数の欠陥管理領域（ＤＭＡ：Ｄｅｆｅｃｔ  Ｍａｎａｇｅｍｅｎｔ  Ａｒｅａ）を有する。
【００９０】
ＤＭＡとは、ディスクメディア上で欠陥が生じた物理セクタ（またはＥＣＣブロック）の位置を示す欠陥位置情報と、その欠陥セクタ（または欠陥ブロック）を代替する物理セクタ（またはＥＣＣブロック）が、後述する代替領域のいずれに存在するかを示す代替位置情報とが記録されている領域をいう。
【００９１】
なお、以下の説明では、セクタを単位として欠陥管理機構について述べるが、ＥＣＣブロックを単位として欠陥管理を行ってもよい。
【００９２】
なお、ＥＣＣブロックを単位として欠陥管理を行う場合、欠陥位置情報および代替位置情報は、それぞれ対応するＥＣＣブロックの先頭物理セクタの位置を示す。
【００９３】
データ領域１０２は、その内部に代替領域とユーザ領域を有している。代替領域は欠陥セクタが存在する場合に代替使用される領域であり、データ領域中の特定の領域に設けられる。ユーザ領域は、ファイルシステムが記録用領域として利用することができる領域をいう。
【００９４】
図２（ｃ）は、論理セクタ空間上に構成されるディスクメディアの論理的なデータ空間を示す図である。論理的なデータ空間は、ボリューム空間と呼称され、データファイル等のユーザデータが記録される。
【００９５】
ボリューム空間においては、記録されたデータをファイルシステムで管理する。すなわち、データを格納する１群のセクタをファイルとして、さらには１群のファイルをディレクトリとして管理するための情報がボリューム空間内のパーティション空間内に記録され、パーティション空間等を管理するためのボリューム構造情報がボリューム領域の先頭と終端に記録される。
【００９６】
ＤＶＤ−ＲＡＭ等のディスクメディアでは、ファイルシステムは、ＵＤＦと呼称され、ＩＳＯ１３３４６規格に準拠したものが一般的に使用される。ＵＤＦのパーティション空間では、データアクセスの単位毎に論理ブロック番号（ＬＢＮ：Ｌｏｇｉｃａｌ  Ｂｌｏｃｋ  Ｎｕｍｂｅｒ）が割り当てられ、データの配置や管理が行われる。
【００９７】
図３は、本実施の形態におけるＤＭＡのデータ構造の一例を示す図である。
【００９８】
ＤＭＡ２００は、ディスクメディア１００の構造的特徴情報を定義したＤＤＳ２０１（Ｄｉｓｃ  Ｄｅｆｉｎｉｔｉｏｎ  Ｓｔｒｕｃｔｕｒｅ）と、欠陥リストであるＰＤＬ２０２およびＳＤＬ２０３からなる。
【００９９】
ＤＤＳ２０１は、ＤＤＳヘッダ、パーティション情報、欠陥リストへの位置情報（先頭アドレス）、媒体識別情報２１０、等からなる。
【０１００】
ＤＤＳヘッダには、このセクタがＤＤＳであることを示すＤＤＳ識別子や、ＤＤＳ２０１やＰＤＬ２０２のデータが書き換えられるたびに加算される更新回数カウンタ、等が含まれる。
【０１０１】
パーティション情報には、当該ディスクメディアの代替領域の開始アドレスや容量、代替領域の使用状況、ユーザ領域の開始アドレス等が記録される。
【０１０２】
媒体識別情報２１０は、当該ディスクメディアに固有の情報であり、当該ディスクメディアを他のディスクメディアから識別するための情報として、シリアルナンバーや乱数値、ロットナンバー、あるいは、当該ディスクメディアを製造したメーカーのメーカーコード等が、後述する本実施形態の記録再生装置により記録される。さらに、媒体識別情報２１０中には、そこに含まれる情報が有効であるかどうかを示すフラグ情報も含まれている。
【０１０３】
ＰＤＬ２０２には、ＰＤＬヘッダと、ＰＤＬエントリーのリスト（ＰＤＬリスト）が納められている。ＰＤＬヘッダには、このセクタがＰＤＬの先頭であることを示すために識別子や、ＰＤＬリストのリスト長、等が記録される。ＰＤＬリストは、複数のＰＤＬエントリーを持ち、各ＰＤＬエントリーが１つの欠陥セクタの位置情報を持つ。ＰＤＬリストにはサーティフィケーション（ディスク検査）時に検出された欠陥セクタが登録される。
【０１０４】
ＳＤＬ２０３の先頭には、ＳＤＬヘッダと、ＳＤＬエントリーのリスト（ＳＤＬリスト）が納められている。ＳＤＬヘッダは、このセクタがＳＤＬの先頭であることを示すために識別子や、ＳＤＬ２０３のデータが書き換えられるたびに加算される更新回数カウンタ、ＳＤＬリストのリスト長、等が記録される。ＳＤＬリストは複数のＳＤＬエントリーを持ち、各ＳＤＬエントリーは２つのセクタの位置情報から構成される。
【０１０５】
第１の位置情報は欠陥セクタの位置情報であり、第２の位置情報は、この欠陥セクタを代替する代替領域中の代替セクタの位置情報を持っている。
【０１０６】
図２（ｂ）に示したように、ＤＭＡ２００は、ディスクメディア１００のリードイン領域１０１およびリードアウト領域１０３の複数箇所に重複して記録される（ＤＭＡ２００#1〜ＤＭＡ２００#4）。これにより、ＤＭＡ内のデータの信頼性が確保されている。なお、図２（ｂ）の例では、リードイン領域１０１に２箇所、リードアウト領域１０３に２箇所、合計４箇所にＤＭＡ２００を重複して記録した例を示したが、ＤＭＡの記録箇所はこの具体例にのみ限定されない。例えば、リードイン領域１０１およびリードアウト領域１０３のそれぞれにおいて３箇所以上にＤＭＡを記録しても良い。また、リードイン領域１０１あるいはリードアウト領域１０３のいずれかのみにおいて２箇所以上にＤＭＡを記録しても良い。あるいは、リードイン領域１０１とリードアウト領域１０３のそれぞれにおいて１箇所ずつ、合計２箇所にＤＭＡを記録しても良い。
【０１０７】
ＤＤＳ２０１とＰＤＬ２０２はフォーマット（ディスク初期化）処理において記録され、ＳＤＬ２０３はフォーマット処理および記録再生処理において欠陥セクタが検出された場合に更新記録される。
【０１０８】
そしてＤＤＳ２０１、ＰＤＬ２０２およびＳＤＬ２０３はそれぞれ独立したＥＣＣブロック内に記録される。
【０１０９】
それぞれのデータ容量をＥＣＣブロックの容量にあわせるために、各構造の最後にリザーブ領域（たとえはすべて００ｈを記録する領域）を設ける。あるいは、リザーブ領域の代わりに、媒体識別情報２１０以外の媒体固有情報を記録するようにしてもよい。なお、媒体識別情報以外の媒体固有情報とは、例えば、そのディスクメディア１００の記録または再生時のレーザパワーに関する情報等を含む。
【０１１０】
図４は、本実施形態にかかる記録再生装置３００の一構成例を示すブロック図である。記録再生装置３００は、ホスト部３５０からの指令に従い、ディスクメディア１００に対してデータの記録または再生を行う。
【０１１１】
コントローラ３０１は、その内部に格納された制御プログラムを用いて、内部バス３０２を介して記録再生装置３００全体を制御する回路である。
【０１１２】
ドライブ装置３０３（記録再生部）には光ピックアップ（図示せず）等が含まれており、ディスクメディア１００に対してデータの記録再生動作を実行する。
【０１１３】
メモリ３０４は、各種のデータを保持するメモリ回路である。例えば、ディスクメディア１００から読み出したセクタデータを一時的に保持したり、ディスクメディア１００へ記録する前のデータを一時的に保持したり、コントローラ３０１が処理を行う際に、一時的な情報を保持したりする。
【０１１４】
さらに、後述するように、ディスクメディア１００から読み出したＤＭＡ２００#1〜２００#4のデータおよびそれらのデータの状態を管理する管理情報を保持する用途にも使用される。
【０１１５】
記録再生制御回路３０５（制御部）は、コントローラ３０１からの指示を受け、ドライブ装置３０３を制御してディスクメディア１００へデータを記録したり、データの再生やアドレスデータの復調を行ったりする。
【０１１６】
ＥＣＣ処理部３０６は、データ記録動作では、複数のセクタデータからなる記録データに対するエラー訂正符号を付加し、データ再生動作では複数のセクタデータからなる再生データに対するエラー訂正処理を行う。データ再生動作において訂正不能なエラーが検出されたときには、訂正不能であることをコントローラ３０１へ通知する。
【０１１７】
ホストＩ／Ｆ３０７は、ＳＣＳＩやＡＴＡＰＩのようなインタフェースで、ホスト部３５０と接続され、ホスト部３５０との間の、コマンド、ユーザデータ、またはステータスなどの転送動作を制御する。
【０１１８】
ホスト部３５０は、記録再生装置３００を含むディスクレコーダ装置やＰＣ等の機器を構成する他の部分であり、例えば、システム全体の制御を行うシステム制御部３５１、ユーザＩ／Ｆ部３５２、表示部３５３、ＡＶデータの連続的な記録再生を可能とするトラックバッファ３５４、ＡＶデータのエンコーダ３５５、デコーダ３５６等を含む。
【０１１９】
次に、図４を用いて、ディスクメディア１００に対する各種の動作の概要について説明する。
［ユーザ領域への記録動作］
まず、ディスクメディア１００のユーザ領域への記録動作の場合を説明する。
【０１２０】
ユーザ領域への記録動作の場合、ホスト部３５０からホストＩ／Ｆ３０７を介して記録コマンド（命令）と記録データが送られる。
【０１２１】
コントローラ３０１は、ホスト部３５０から受けた記録コマンドを解釈し、内部バス３０２を介してメモリ３０４に記録データを格納する。
【０１２２】
コントローラ３０１は、ＥＣＣ処理部３０６を制御して、メモリ３０４に格納された複数セクタからなるデータの組に対してエラー訂正符号を付加する。
【０１２３】
コントローラ３０１は、記録再生制御回路３０５とドライブ装置３０３を制御し、記録コマンドにより指示されたセクタ位置に、メモリ３０４から内部バス３０２を介して読み出したエラー訂正符号が付加済みの記録データを記録させる。
［ＤＭＡの記録動作］
次に、ディスクメディア１００へのＤＭＡの記録動作の場合を説明する。
【０１２４】
コントローラ３０１は、記録コマンドのパラメータを解釈して、ＤＭＡの記録が必要であると判断する。
【０１２５】
コントローラ３０１は、ＥＣＣ処理部３０６を制御し、メモリ３０４に格納されたＤＭＡに記録されるデータに対して、エラー訂正符号を付加する。
【０１２６】
コントローラ３０１は、記録再生制御回路３０５とドライブ装置３０３を制御し、ディスクメディア１００においてＤＭＡを記録するための領域に、メモリ３０４から内部バス３０２を介して読み出したエラー訂正符号が付加済みの記録データを記録させる。
［ユーザ領域の再生動作］
次に、ユーザ領域の再生動作の場合を説明する。
【０１２７】
ユーザ領域の再生動作の場合、ホスト部３５０からホストＩ／Ｆ３０７を介して再生コマンドが送られる。
【０１２８】
コントローラ３０１は、再生コマンドを受けたと解釈すると、記録再生制御回路３０５を制御し、再生コマンドにより指示されたディスクメディア１００上の位置から、再生コマンドにより指示された容量のデータを再生し、内部バス３０２を介して、ＥＣＣ処理部３０６へ渡す。ＥＣＣ処理部３０６は、再生データのエラー訂正を行い、メモリ３０４に格納する。
【０１２９】
コントローラ３０１は、内部バス３０２およびホストＩ／Ｆ３０７を介してメモリ３０４から再生データをホスト部３５０へ転送する。
［ＤＭＡの再生動作］
次に、ＤＭＡの再生動作の場合を説明する。
【０１３０】
コントローラ３０１は、再生コマンドのパラメータを解釈して、ＤＭＡの再生が必要であると判断する。
【０１３１】
コントローラ３０１は、記録再生制御回路３０５を制御し、ＤＭＡからデータを再生し、内部バス３０２を介して、ＥＣＣ処理部３０６でエラー訂正を行い、メモリ３０４に格納する。
［ベリファイ動作］
次に、ベリファイ動作を説明する。
【０１３２】
ベリファイ動作は、ディスクメディア１００への記録動作を行った後、このディスクメディア１００から通常の再生動作と同様にデータを再生することにより、正しくデータが記録されたことを確認する処理である。
［フォーマット動作］
次に、ディスクメディア１００に対するフォーマット動作を説明する。フォーマット動作とは、ディスクメディア１００の初期化を行うことを指す。
【０１３３】
フォーマット動作においては、各ＤＭＡ中にＤＤＳ２０１と、ＰＤＬ２０２と、ＳＤＬ２０３が記録される。フォーマット動作については、後にさらに詳しく述べる。
［起動動作］
次に、起動動作について動作を説明する。
【０１３４】
起動動作とは、記録再生装置３００のリセット時や、ディスクメディア１００の交換時などにおいて、ディスクメディア１００に対するデータの記録再生動作を実施するために、ＤＭＡを含むディスクメディア１００の管理情報を読み出すことである。
［ＳＤＬ更新動作］
次にＳＤＬ更新動作について動作を説明する。
【０１３５】
ＳＤＬ更新動作とは、ディスクメディア１００に対するデータの記録再生動作において、新たな欠陥セクタが検出されたとき、ディスクメディア１００上のＳＤＬの情報を更新することである。
【０１３６】
ＳＤＬの情報の更新とは、図３のＳＤＬリストへ新たなエントリ（検出された欠陥セクタの管理情報）を追加登録することである。
【０１３７】
以上が、本実施形態にかかる記録再生装置３００の主な動作の概略説明である。
【０１３８】
次に、本実施形態の記録再生装置３００が実行するフォーマット処理の動作の詳細について、図５のフローチャートを参照しながら以下に説明する。
［Ｓ１０１：フォーマットパラメータの設定］
ホスト部３５０は、フォーマット動作における制御パラメータであるフォーマットパラメータを設定したフォーマットコマンドを記録再生装置３００に対して発行する。
【０１３９】
フォーマットコマンドを受け取ったコントローラ３０１は、フォーマットコマンドを解釈し、フォーマットパラメータの値を取得する。
【０１４０】
以降のフォーマット動作は、このフォーマットパラメータに従って実施される。
【０１４１】
フォーマットパラメータには、例えば、後述するサーティフィケーション実行の有無の指定、欠陥セクタを有するＤＭＡの許容数、等が含まれる。
【０１４２】
さらに、フォーマットパラメータには、媒体識別情報２１０の記録に関するパラメータが含まれる。このパラメータには、媒体識別情報２１０が記録されていないときに、新たに媒体識別情報２１０を記録するかどうかの選択パラメータや、新たに媒体識別情報２１０を記録する場合の、記録すべき媒体識別情報の生成方法に関するパラメータ等が含まれる。
【０１４３】
新たな媒体識別情報２１０の生成に関するパラメータとは、媒体識別情報２１０を記録再生装置３００の内部で生成するか、ホスト部３５０から与えるかの選択パラメータ等である。媒体識別情報２１０をホスト部３５０から与える場合は、媒体識別情報２１０の値そのものを、フォーマットパラメータ中に含んでいてもよい。
【０１４４】
なお、ホスト部３５０が特定のフォーマットパラメータを与えない場合、すなわちデフォルト値でのフォーマット実行を指示した場合、コントローラ３０１は、その内部に格納されたフォーマットパラメータのデフォルト値を設定する。
【０１４５】
図５の説明においては、デフォルト値でのフォーマット動作がホスト部３５０により指示されたものとする。
［Ｓ１０２：全ＤＭＡの読み出し］
コントローラ３０１は、ＤＭＡ２００#1、ＤＭＡ２００#2、ＤＭＡ２００#3、ＤＭＡ２００#4の順で、すべてのＤＭＡのデータを読み出す。
［Ｓ１０３：媒体識別情報の有効性判定］
コントローラ３０１は、ステップＳ１０２で読み出したＤＭＡデータに含まれる媒体識別情報２１０が有効な値であるかどうかを調べる。
【０１４６】
有効な媒体識別情報２１０が記録されているかどうかの判断は、媒体識別情報２１０中にその値の有効性を示すフラグ情報を設けておくことにより判別可能となる。あるいは、媒体識別情報２１０が無効であることを示す所定の値を該当セクタへ記録しておくことにより判別することも可能である。例えば、００ｈのような値を無効データと定め、記録しておけばよい。
【０１４７】
そして、媒体識別情報２１０の処理方法をフォーマットパラメータに従って決定する。上述の通り、ここでは、デフォルト値でのフォーマット動作について説明する。
【０１４８】
媒体識別情報２１０のデフォルトの処理方法は、例えば次のような処理である。すなわち、ＤＭＡデータに有効な媒体識別情報２１０が含まれない場合、新規に設定を行い、含まれる場合は、その値は保持する。
【０１４９】
よって図５においては、コントローラ３０１が有効な媒体識別情報２１０が既に記録されていると判断した場合は、媒体識別情報２１０の変更は行わず、媒体識別情報２１０をメモリ３０４中に保持した状態でステップＳ１０５へ進む。一方、有効な媒体識別情報２１０が記録されていないと判断した場合は、ステップＳ１０４へ進む。
［Ｓ１０４：媒体識別情報の新規設定］
コントローラ３０１は、新たに記録する媒体識別情報の値を決定する。媒体識別情報２１０の値の決定方法は、フォーマットパラメータにより指定される。
【０１５０】
ここでは、決定方法のデフォルトとして、コントローラ３０１が媒体識別情報２１０を生成する方法が指定されている場合について説明する。
【０１５１】
コントローラ３０１が媒体識別情報２１０の値を決定する場合、コントローラ３０１は、複数の識別媒体同士を識別可能な値を生成する。
【０１５２】
この値を生成する方法としては、例えば、その時点での時間情報や、イーサネット（登録商標）やＩＥＥＥ１３９４等のデジタルインタフェース回路自体が保持しているＭＡＣアドレスや、デバイスＩＤ等を媒体識別情報とする方法が利用可能である。なお、これらの値をそのまま媒体識別情報として使用してもよいし、何らかの演算処理を施した結果を使用してもよい。
【０１５３】
なお、媒体識別情報は重複しない値であることが保証されることが望ましいが、十分に桁数の多い乱数やシリアル番号等を用いて、実用上問題なく複数の識別媒体同士を識別可能であれば、他の方法により媒体識別情報２１０の値を決定してもよい。
【０１５４】
ここで決定された媒体識別情報の値はメモリ３０４中のＤＤＳデータに設定される。
［Ｓ１０５：全ＤＭＡの無効化］
コントローラ３０１は、ＤＭＡ２００#1、ＤＭＡ２００#2、ＤＭＡ２００#3、ＤＭＡ２００#4の順で、すべてのＤＭＡ２００を無効化する。すなわち、コントローラ３０１は、各ＤＭＡに対して無効なデータを記録する。例えば、ＤＭＡのデータ値として無効な００ｈやＦＦｈのようなダミーデータが、ＤＭＡに記録される。
【０１５５】
ただし、このとき、媒体識別情報２１０が記録されるセクタに関しては、ステップＳ１０３またはステップＳ１０４でメモリ３０４中に保持しておいた値を再度、同じセクタへ記録する。
【０１５６】
なお、この時点ですべてのＤＭＡを無効化することにより、後述の処理において予期しない中断が発生しても、決定済みの媒体識別情報２１０を失ってしまうことを防げる。さらに、ＤＭＡ情報の矛盾が生じないようにすることもできる。
［Ｓ１０６：エラー判定］
ＤＭＡの無効化のためのデータの記録中あるいはその後のベリファイ処理においてエラーが発生したら、フォーマットエラーとしてステップＳ１１１へ進む。そうでなければステップＳ１０７へ進む。
［サーティフィケーション］
フォーマットパラメータによりサーティフィケーションの実行が指定された場合、ユーザ領域全体に対するテストデータの記録処理とベリファイ処理を実行する。この処理において検出された欠陥セクタの管理情報は、メモリ３０４中のＰＤＬデータに保持される。
［Ｓ１０８：全ＤＭＡ領域の記録］
コントローラ３０１は、サーティフィケーションの結果に応じたＤＭＡデータを生成し、メモリ３０４に保存する。また、このメモリ３０４上のＤＭＡデータに対して、ステップ１０３またはステップＳ１０４でメモリ３０４中に保持しておいた媒体識別情報２１０の値を設定する。そしてコントローラ３０１は、メモリ３０４に保存されたＤＭＡデータを、ＤＭＡ２００#1、ＤＭＡ２００#2、ＤＭＡ２００#3、ＤＭＡ２００#4の順ですべてのＤＭＡに対して記録する。
［Ｓ１０９：エラー判定］
ＤＭＡデータの記録中あるいはその後のベリファイ処理においてエラーが発生したら、フォーマットエラーとしてステップＳ１１１へ進む。そうでなければステップＳ１１０へ進む。
［Ｓ１１０：正常終了報告］
コントローラ３０１は、コマンドの正常終了をホスト部３５０に報告する。
［Ｓ１１１：エラー報告］
コントローラ３０１は、フォーマットエラーの発生をホスト部３５０に報告する。
【０１５７】
記録再生装置３００では、以上のような手順でフォーマット処理が実行される。
【０１５８】
以上より、媒体識別情報２１０のような記録媒体固有の情報をＤＤＳ中に設け、ディスクメディア１００の複数箇所に重複して記録することにより、特別な装置を用いることなく、高い信頼性を持って媒体識別情報２１０を記録することができる。
【０１５９】
なお、上述のステップＳ１０４では、デフォルトの処理方法として、コントローラ３０１が媒体識別情報２１０を生成する場合について説明した。しかしながら、媒体識別情報２１０の決定は、上記に限られるものではなく、ホスト部３５０が記録再生装置３００に対して、フォーマットコマンドのパラメータとして、あるいは、専用のコマンドとして、媒体識別情報２１０の値を明示的に与えるようにしてもよい。あるいは、ホスト部３５０から与えられた媒体識別情報２１０の値の一部と、記録再生装置３００内で生成した媒体識別情報２１０の値の一部とを組み合わせて、媒体識別情報２１０全体を生成するようにしてもよい。
【０１６０】
なお、上述のフォーマットパラメータで、有効な媒体識別情報２１０が記録されていなくても、媒体識別情報２１０を新たに記録しない、という設定を行うことも可能である。この場合、媒体識別情報２１０が無効であっても、ステップＳ１０３からステップＳ１０５へ進み、残りのステップでも、媒体識別情報２１０は無効なまま処理を行う。
【０１６１】
次に、本実施形態の記録再生装置３００が、リセット時やディスク挿入時、あるいはホスト部３５０からの要求等のため、媒体識別情報２１０の再生を実行する媒体識別情報再生処理について、図６のフローチャートを参照しながら以下に説明する。
［Ｓ２０１：ＤＤＳ再生］
コントローラ３０１は、記録再生制御回路３０５を制御し、ＤＤＳ２０１を再生し、そのデータをメモリ３０４へ格納する。
［Ｓ２０２：再生データチェック］
ＥＣＣ処理部３０６が、ＤＤＳ２０１のデータに対してエラー訂正処理を行い、再生データが正常かどうかの判定を行う。
［Ｓ２０３：媒体識別情報出力］
ＤＤＳ２０１が正常に再生されたら、コントローラ３０１は、メモリ３０４内のＤＤＳデータから媒体識別情報２１０を取り出し、ホストＩ／Ｆ３０７を経由して、媒体識別情報２１０をホスト部３５０へ転送する。
［Ｓ２０４：再生エラー報告］
ＤＤＳ２０１が正常に再生されなかったら、コントローラ３０１は、ホスト部３５０へ再生エラーを報告する。
【０１６２】
なお、再生エラーが発生した場合は、ディスクメディア１００の複数箇所に重複記録されているＤＭＡ２００のうち、他の箇所に記録されているＤＭＡ２００からＤＤＳ２０１を再度読み出し、上述のステップを繰り返す。例えば、最初にＤＭＡ２００#1を再生して再生エラーになった場合は、次にＤＭＡ２００#2からのＤＤＳ２０１の再生を試みる。
【０１６３】
そして、ディスクメディア１００上のすべてのＤＤＳ２０１が正常に再生されない場合は、コントローラ３０１は、ホスト部３５０へメディアエラーを報告する。
【０１６４】
あるいは、最初にすべてのＤＭＡ２００#1〜ＤＭＡ２００#4からＤＤＳを再生してからエラー訂正処理を実施し、正常に再生されたＤＤＳデータから媒体識別情報２１０を取り出すようにしても良い。
【０１６５】
この場合、正常に再生されたＤＤＳデータの数をカウントし、その数が予め決められた基準を上回らない場合は、メディアエラーと見なすようにしてもよい。
【０１６６】
以上で説明した手順で、ディスクメディア１００に重複して記録されたＤＤＳ２０１から媒体識別情報２１０を再生する処理が実行される。
【０１６７】
欠陥管理機構を備えたディスクメディア１００では、正しいデータへアクセスを行うために、ディスクメディア１００の挿入時にＤＭＡが必ず読み出される。そして、ディスクメディア１００からのデータ読み出しはＥＣＣブロック単位で行われるので、媒体識別情報２１０をＤＤＳ中に格納することにより、ディスクメディア１００の挿入時にすぐさま媒体識別情報２１０を認識できる。
【０１６８】
よって、ホスト部３５０からの媒体識別情報２１０に対する再生要求に対して素早い応答が可能となる。その結果、媒体識別情報２１０を利用する様々な応用（例えば、ディスクメディア内のデータファイルのカタログ化、等）に対して、高い利便性を提供することが可能となる。
【０１６９】
さらに、ＤＤＳの読み出し自体は、記録再生装置が一般に備える機能であるため、媒体識別情報２１０を読み出す機能は大幅な処理ルーチンの追加を行うことなく実現可能である。
【０１７０】
次に、ＳＤＬ２０３の更新処理について述べる。
【０１７１】
ディスクメディア１００に対する記録再生処理に際して、新たに欠陥セクタが検出されると、その欠陥セクタはＳＤＬ２０３に登録され、代替セクタが割り当てられる。
【０１７２】
上述したようにＤＤＳ２０１、ＰＤＬ２０２およびＳＤＬ２０３は、それぞれ独立したＥＣＣブロックに記録されるので、ＳＤＬ２０３の書き換えに際しては、ＤＤＳ２０１とＰＤＬ２０２は影響を受けない。よって、いったん記録が行われた媒体識別情報２１０は、通常のデータ記録再生において破壊されることがなく、信頼性が低下することはない。
【０１７３】
なお、図５ではフォーマット時に媒体識別情報２１０を記録するようにしたが、フォーマット時だけに限定されるものではなく、ホスト部３５０からの専用コマンドによる指示等により、フォーマット処理とは独立に媒体識別情報２１０だけを記録してもよい。
【０１７４】
なお、上述の実施の形態においては、ＤＭＡ２００中に、ＤＤＳ２０１、ＰＤＬ２０２、ＳＤＬ２０３を記録したが、例えば、ＰＤＬ２０２の無いディスクメディア１００もあり得る。
【産業上の利用可能性】
【０１７５】
本発明にかかる記録媒体は、媒体固有情報（例えば媒体識別情報）を有し、記録媒体を識別する必要のあるアプリケーション、例えばディスクカタログや記録媒体の利用履歴管理等の実現に有用である。
【図面の簡単な説明】
【０１７６】
【図１】図１は、本発明の実施の形態１にかかる記録再生装置の外観と関連機器とのインタフェースの例示図である。
【図２】図２（ａ）は、記録可能なディスクメディアの記録領域を表した図である。図２（ｂ）は、図２（ａ）において同心円状に示されるリードイン領域と、リードアウト領域と、データ領域を横方向に配置した説明図である。図２（ｃ）は、論理セクタにより構成されるディスクメディア１００の論理的なデータ空間を示す図である。
【図３】図３は、本発明の実施の形態１にかかるＤＭＡのデータ構成図である。
【図４】図４は、本発明の実施の形態１にかかる記録再生装置の機能を示すブロック構成図である。
【図５】図５は、フォーマット動作を示すフローチャートの一例を説明するための図である。
【図６】図６は、媒体識別情報の再生動作を示すフローチャート一例を説明するための図である。
【図７】図７は、従来のディスクメディア１００に記録されるディレクトリとファイルの階層構造を示す図である。
【図８】図８は、従来のカタログデータの概念図である。
【図９】図９は、従来のＤＤＳ、ＰＤＬ、およびＳＤＬのデータ構成図である。
【手続補正３】
【補正対象書類名】図面
【補正対象項目名】全図
【補正方法】変更
【補正の内容】
【図１】
2005029492.tif 000012
【図２】
2005029492.tif 000013
【図３】
2005029492.tif 000014
【図４】
2005029492.tif 000015
【図５】
2005029492.tif 000016
【図６】
2005029492.tif 000017
【図７】
2005029492.tif 000018
【図８】
2005029492.tif 000019
【図９】
2005029492.tif 000020
【国際調査報告】
2005029492.tif 000021
2005029492.tif 000022
2005029492.tif 000023
2005029492.tif 000024